(57)【要約】【課題】コンテンツデータの特性を良好に認識できる情報処理装置を提供する。【解決手段】楽曲再生システム１００に、楽曲データ記憶手段３３０に記録された楽曲データの曲調を認識し、この曲調に基づいて楽曲データのパートを認識する特性認識手段と、楽曲データのパートにおける曲調に関する曲調ポイント情報および曲調情報をパートの位置を特定するパート特定情報に関連付けてパート情報を生成する楽曲関連情報生成手段と、を設けている。このため、多種多様な曲調を有した楽曲データを複数のパートに分けてパート毎に曲調を認識することができる。したがって、楽曲再生装置３００は、楽曲データの曲調を良好に認識することができるので、例えば利用者が聴きたい曲調を指定して再生された楽曲データの中に、利用者がイメージした曲調とは異なる部分が含まれることを防止することができる。【選択図】図１
2006221715.tif 000002
【特許請求の範囲】
【請求項１】
コンテンツデータを取得するデータ取得手段と、
前記コンテンツデータの特性を認識する特性認識手段と、
前記特性認識手段により認識した前記特性に基づいて前記コンテンツデータにおける特性が異なる区間を認識する区間認識手段と、
前記コンテンツデータの区間における前記特性に関する特性情報を前記区間の位置を特定する区間特定情報に関連付けて区間特性情報を生成する区間特性情報生成手段と、
を具備したことを特徴とした情報処理装置。
【請求項２】
請求項１に記載の情報処理装置であって、
前記区間認識手段は、前記特性認識手段により認識した前記特性に基づいて前記コンテンツデータにおける前記特性が変更する変更位置を認識し、前記コンテンツデータの変更位置間における区間を前記特性が異なる区間として認識する
ことを特徴とした情報処理装置。
【請求項３】
請求項１または請求項２のいずれかに記載の情報処理装置であって、
前記特性認識手段は、前記コンテンツデータの少なくとも１つの前記特性の度合いを認識し、
前記区間特性情報生成手段は、前記コンテンツデータの区間における前記少なくとも１つの特性の度合いに関する特性度合情報を前記特性情報として前記区間特定情報に関連付けて前記区間特性情報を生成する
ことを特徴とする情報処理装置。
【請求項４】
請求項３に記載の情報処理装置であって、
少なくとも１つの前記区間を有する前記コンテンツデータにおけるそれぞれの前記区間に関連付けられた前記区間特性度合情報に基づいて、前記コンテンツデータの全体についての前記少なくとも１つの特性の度合いを認識する全体特性度合認識手段と、
少なくとも１つの前記コンテンツデータの前記全体についての前記少なくとも１つの特性の度合いに関する全体特性度合情報を出力手段に出力させる全体特性出力制御手段と、
を具備したことを特徴とする情報処理装置。
【請求項５】
請求項１ないし請求項４のいずれかに記載の情報処理装置であって、
前記区間特性情報生成手段は、所定の前記区間の前記特性を所定の特性に設定する旨の入力操作に基づいて、前記所定の区間における前記特性を前記所定の特性に変更した前記特性情報を前記区間特定情報に関連付けて前記区間特性情報を生成する
ことを特徴とする情報処理装置。
【請求項６】
請求項１ないし請求項５のいずれかに記載の情報処理装置であって、
入力操作に基づいて、前記コンテンツデータの少なくとも１つの前記区間特性情報に基づいて前記コンテンツデータを再生可能な状態に制御する再生制御手段を具備した
ことを特徴とする情報処理装置。
【請求項７】
請求項６に記載の情報処理装置であって、
前記再生制御手段の制御により再生中の前記コンテンツデータの区間に関連付けられた前記特性情報の前記特性を、表示手段で表示させる区間特性表示制御手段を具備した
ことを特徴とする情報処理装置。
【請求項８】
請求７に記載の情報処理装置であって、
前記区間特性表示制御手段は、前記再生制御手段の制御により再生中の前記コンテンツデータの区間に関連付けられた前記特性情報と共に、前記再生中の前記コンテンツデータの区間における前記特性を所定の特性に設定する旨の特性設定情報を前記表示手段に表示させ、
前記区間特性情報生成手段は、前記表示手段における前記特性設定情報に対応する領域が選択された旨の入力操作に基づいて、前記再生中の前記コンテンツデータの区間における前記特性を前記選択された前記特性設定情報の前記所定の特性に変更した前記特性情報を前記区間特定情報に関連付けて前記区間特性情報を生成する
ことを特徴とする情報処理装置。
【請求項９】
請求項８に記載の情報処理装置であって、
前記区間特性表示制御手段は、前記再生制御手段の制御により所定の前記コンテンツデータが再生されている際、前記所定のコンテンツデータの少なくとも１つの前記区間に関連付けられた前記特性情報を前記コンテンツデータの再生時間順に並べて表示すると共に、前記所定のコンテンツデータの再生位置に関する再生位置情報を前記表示手段に表示する
ことを特徴とする情報処理装置。
【請求項１０】
請求項６ないし請求項９のいずれかに記載の情報処理装置であって、
前記コンテンツデータを記憶するコンテンツデータ記憶手段と、
所定の前記区間にキーワードを設定する旨の入力操作に基づいて、前記所定の区間の前記区間特定情報に前記キーワードに関するキーワード情報を関連付けて前記区間特性情報を生成する区間キーワード情報生成手段と、
所定の前記キーワードに対応する前記コンテンツデータを検索する旨の入力操作に基づいて、前記キーワードが設定された前記区間を有する前記コンテンツデータを前記コンテンツデータ記憶手段から検索するキーワードコンテンツ検索手段と、を具備し、
前記再生制御手段は、前記キーワードコンテンツ検索手段にて検索された前記コンテンツデータにおける前記キーワードが設定された前記区間を再生させる
ことを特徴とする情報処理装置。
【請求項１１】
請求項１０に記載の情報処理装置であって、
前記区間特性表示制御手段は、前記再生制御手段の制御により再生中の前記コンテンツデータの区間の位置に関する区間位置情報と共に、前記再生中の前記コンテンツデータの区間に所定のキーワードを設定する旨のキーワード設定情報を前記表示手段に表示させ、
前記区間キーワード情報生成手段は、前記表示手段における前記キーワード設定情報に対応する領域が選択された旨の入力操作に基づいて、前記再生中の前記コンテンツデータの区間に対応する前記区間特定情報に前記選択された前記キーワード設定情報の前記所定のキーワードに関する前記キーワード情報を関連付けて前記区間特性情報を生成する
ことを特徴とする情報処理装置。
【請求項１２】
請求項７ないし請求項１１のいずれかに記載の情報処理装置であって、
前記区間特性表示制御手段は、前記コンテンツデータの再生位置に関する再生位置情報を、前記再生位置を含む前記区間に関連付けられた前記特性情報の特性に対応する表示形態で前記表示手段に表示させる
ことを特徴とする情報処理装置。
【請求項１３】
請求項６ないし請求項１２のいずれかに記載の情報処理装置であって、
前記再生制御手段の制御により再生中の区間と異なる特性の前記区間を再生する旨の入力操作に基づいて、前記再生中の前記区間と異なる前記特性の前記特性情報に関連付けられた前記区間を認識する異特性区間認識手段を具備し、
前記再生制御手段は、前記再生中の区間に変えて前記異特性区間認識手段で認識した前記区間の再生を開始させる
ことを特徴とする情報処理装置。
【請求項１４】
請求項６ないし請求項１３のいずれかに記載の情報処理装置であって、
複数の前記コンテンツデータが記憶されたコンテンツデータ記憶手段と、
前記再生制御手段の制御により再生中の前記コンテンツデータにおける後端の前記区間に関連付けられた前記特性情報に基づいて、前記後端の区間の特性を認識する後端特性認識手段と、
先端の前記区間に関連付けられた前記特性情報の特性が前記後端特性認識手段で認識した前記後端の区間の特性と略同一の前記コンテンツデータを前記コンテンツデータ記憶手段から検索するコンテンツ端部検索手段と、
を具備し、
前記再生制御手段は、前記再生中のコンテンツデータの再生が終了すると前記コンテンツ端部検索手段で検索された前記コンテンツデータの再生を開始させる
ことを特徴とする情報処理装置。
【請求項１５】
請求項６ないし請求項１４のいずれかに記載の情報処理装置であって、
複数の前記コンテンツデータが記憶されたコンテンツデータ記憶手段と、
特定の前記特性の前記区間を再生する旨の入力操作に基づいて、前記特定の特性の前記特性情報に関連付けられた前記区間を有する前記コンテンツデータを前記コンテンツデータ記憶手段から検索する特定コンテンツ検索手段を具備し、
前記再生制御手段は、前記特定コンテンツ検索手段で検索された前記コンテンツデータにおける前記特定の特性の前記特性情報に関連付けられた前記区間を連続的に再生する
ことを特徴とする情報処理装置。
【請求項１６】
請求項１５に記載の情報処理装置であって、
前記区間認識手段は、前記コンテンツデータを特徴付ける前記区間を認識し、
前記区間特性情報生成手段は、前記コンテンツデータを特徴付ける前記区間の前記区間特定情報に前記コンテンツデータを特徴付ける区間である旨の特徴区間情報を関連付けて前記区間特性情報を生成し、
前記特定コンテンツ検索手段は、特定の前記特性の前記特徴付ける前記区間を再生する旨の入力操作に基づいて、前記特定の特性の前記特性情報に関連付けられた前記特徴付ける前記区間を含む前記コンテンツデータを前記コンテンツデータ記憶手段から検索し、
前記再生制御手段は、前記特定コンテンツ検索手段で検索された前記コンテンツデータにおける前記特徴付ける前記区間を連続的に再生する
ことを特徴とする情報処理装置。
【請求項１７】
請求項１ないし請求項１６のいずれかに記載の情報処理装置であって、
前記コンテンツデータは、楽曲データであり、
前記特性認識手段は、前記楽曲データにおける曲調を前記特性として認識し、
前記区間認識手段は、前記特性認識手段により認識した前記曲調に基づいて前記コンテンツデータにおける曲調が異なる区間を認識する
ことを特徴とする情報処理装置。
【請求項１８】
コンテンツデータに関する所定の情報を生成する情報処理方法であって、
前記コンテンツデータを取得し、
前記コンテンツデータの特性を認識し、
前記特性に基づいて前記コンテンツデータにおける特性が異なる区間を認識し、
前記コンテンツデータの区間における前記特性に関する特性情報を前記区間の位置を特定する区間特定情報に関連付けて区間特性情報を生成する
ことを特徴とする情報処理方法。
【請求項１９】
演算手段を請求項１ないし請求項１７のいずれかに記載の情報処理装置として機能させる
ことを特徴とする情報処理プログラム。
【請求項２０】
請求項１８に記載の情報処理方法を演算手段に実行させる
ことを特徴とする情報処理プログラム。
【請求項２１】
請求項１９または請求項２０に記載の情報処理プログラムが演算手段にて読取可能に記録された
ことを特徴とする情報処理プログラムを記録した記録媒体。
【発明の詳細な説明】
【技術分野】
【０００１】
本発明は、コンテンツデータの特性を認識する情報処理装置、情報処理方法、情報処理プログラム、および、情報処理プログラムを記録した記録媒体に関する。
【背景技術】
【０００２】
従来、例えば楽曲などのオーディオ情報を再生するオーディオ情報提供装置が知られている（例えば、特許文献１参照）。この特許文献１に記載のオーディオ情報提供装置は、記憶手段と、特徴決定部と、印象座標値リスト取得部と、再生装置と、などを備えている。
【０００３】
記憶手段は、オーディオ情報などの情報を記憶する。特徴決定部は、記憶手段が新たなオーディオ情報を記憶する際、記憶されるオーディオ情報の再生時間を算出し、このオーディオ情報における楽曲のテンポ、コード進行、楽器構成等の音楽的特徴を自動抽出する。そして、これらの音楽的特徴を用いてオーディオ情報の印象座標値を算出する。ここで、特徴座標値とは、「明るい」、「激しい」、「爽快」、「シャープ」といったオーディオ情報の主観的な特徴を表す座標系の座標値である。さらに、特徴決定部は、オーディオ情報の特徴座標値および再生時間を示す関連情報をオーディオ情報とともに記憶手段に記憶させる。印象座標値リスト取得部は、利用者のイメージに適した連続したオーディオ情報を提供するための、利用者のイメージに適した印象座標値を時系列に連続して並べた印象座標値リストを取得する。再生装置は、印象座標値リストに示される順序にしたがって一組のオーディオ情報を再生する。これにより、利用者がその時々の気分にしたがって聴きたいオーディオ情報を、例えば「明るい」などの特徴で指定することにより、指定された特徴と対応するオーディオ情報を連続再生する構成が採られている。
【０００４】
【特許文献１】特開２００３−１５６６６（第６頁右欄−第９頁左欄）
【発明の開示】
【発明が解決しようとする課題】
【０００５】
しかしながら、上述した特許文献１のような構成では、多種多様な特徴を備えたオーディオ情報に対して１つの音楽的特徴しか関連づけられていないので、再生されたオーディオ情報の中には利用者がイメージした音楽的特徴とは異なる部分が含まれるおそれがある。このため、利用者の気分に合わない部分も再生されるおそれがある、などの問題が一例として挙げられる。
【０００６】
本発明は、上述したような問題点に鑑みて、コンテンツデータの特性を良好に認識できる情報処理装置、情報処理方法、情報処理プログラム、および情報処理プログラムを記録した記録媒体を提供することを１つの目的とする。
【課題を解決するための手段】
【０００７】
請求項１に記載の発明は、コンテンツデータを取得するデータ取得手段と、前記コンテンツデータの特性を認識する特性認識手段と、前記特性認識手段により認識した前記特性に基づいて前記コンテンツデータにおける特性が異なる区間を認識する区間認識手段と、前記コンテンツデータの区間における前記特性に関する特性情報を前記区間の位置を特定する区間特定情報に関連付けて区間特性情報を生成する区間特性情報生成手段と、を具備したことを特徴とした情報処理装置である。
【０００８】
請求項１８に記載の発明は、コンテンツデータに関する所定の情報を生成する情報処理方法であって、前記コンテンツデータを取得し、前記コンテンツデータの特性を認識し、前記特性に基づいて前記コンテンツデータにおける特性が異なる区間を認識し、前記コンテンツデータの区間における前記特性に関する特性情報を前記区間の位置を特定する区間特定情報に関連付けて区間特性情報を生成することを特徴とする情報処理方法である。
【０００９】
請求項１９に記載の発明は、演算手段を請求項１ないし請求項１７のいずれかに記載の情報処理装置として機能させることを特徴とする情報処理プログラムである。
【００１０】
請求項２０に記載の発明は、請求項１８に記載の情報処理方法を演算手段に実行させることを特徴とする情報処理プログラムである。
【００１１】
請求項２１に記載の発明は、請求項１９または請求項２０に記載の情報処理プログラムが演算手段にて読取可能に記録されたことを特徴とする情報処理プログラムを記録した記録媒体である。
【発明を実施するための最良の形態】
【００１２】
以下に、本発明の一実施の形態を図面に基づいて説明する。本実施の形態では、本発明の情報処理装置を有する楽曲再生装置を備えた楽曲再生システムであって、楽曲データの曲調を認識して楽曲データを再生出力する構成を備えたシステムを例示して説明する。なお、本実施の形態において、コンテンツデータとして例えば楽曲データについて説明するがこれに限らず、音声、効果音などの音声データを含むいずれのコンテンツデータ、映像コンテンツデータでもよい。そして、以下において、楽曲データの特性としての曲調が変更する変更位置間の区間をパートと称して説明する。図１は、本発明の一実施の形態に係る楽曲再生システムの概略構成を示すブロック図である。図２は、プレイリストの概略構成を示す模式図である。図３は、楽曲再生装置の処理部の内部構成を示すブロック図である。図４は、楽曲の曲調の一例を示す図である。図５は、プレイリスト画面の一例を示す図である。図６は、再生画面の一例を示す図である。
【００１３】
〔楽曲再生システムの構成〕
図１において、１００は楽曲再生システムである。この楽曲再生システム１００は、楽曲データの曲調を複数のパート毎に認識し、認識した曲調に基づいて適宜楽曲データを再生するシステムである。そして、楽曲再生システム１００は、音声出力装置２００と、楽曲再生装置３００と、などを備えている。
【００１４】
音声出力装置２００は、例えば、図示しないスピーカなどの発音手段などを備えている。この音声出力装置２００は、楽曲再生装置３００と各種情報が送受信可能に接続されており、楽曲再生装置３００から送信される楽曲データを発音手段から音声として再生出力する。なお、例えば、楽曲再生システム１００を移動体としての車両に設ける構成の場合、音声出力装置２００は、発音手段としてのスピーカが例えばインストルメントパネル部、ドア部、リアダッシュボード部など、車両の室内空間における前方部分や後方部分の左右側にそれぞれ配設された構成などとすることが例示できる。
【００１５】
楽曲再生装置３００は、車両に搭載される車載型、携帯型、ＰＤＡ（Personal Digital Assistant）、携帯電話、ＰＨＳ(Personal Handyphone System)、デスクトップ型パーソナルコンピュータ、携帯型パーソナルコンピュータなどである。この楽曲再生装置３００は、楽曲データの曲調をパート毎に関連付けて認識し、認識した曲調に基づいて楽曲データを適宜再生する。そして、楽曲再生装置３００は、入力部３１０と、表示手段としてのタッチパネル３２０と、コンテンツデータ記憶手段としての楽曲データ記憶手段３３０と、メモリ３４０と、演算手段としての処理部３５０と、などを備えている。
【００１６】
入力部３１０は、ケース体の例えば正面に臨んで入力操作可能に配設された図示しない各種操作ボタンや操作つまみなどを有している。そして、入力部３１０は、例えば楽曲再生装置３００の動作内容の設定などの設定事項の入力操作により、各種情報を入力信号として処理部３５０へ出力して設定させる。なお、入力部３１０としては、例えばタッチパネル３２０に設けられたタッチパネルによる入力操作や音声による入力操作など、各種設定事項を設定入力可能ないずれの構成が例示できる。
【００１７】
タッチパネル３２０は、処理部３５０から画像信号として送信される映像信号を表示させる。また、タッチパネル３２０は、例えば利用者により接触された位置を認識し、その位置情報を処理部３５０に出力する。このタッチパネル３２０は、図示しない表示部と、センサ部と、信号出力部と、などを備えている。なお、このタッチパネル３２０は、楽曲再生システム１００を移動体としての車両に設ける構成の場合、例えば車両の図示しないダッシュボードの前面側に配設される。
【００１８】
表示部は、処理部３５０から出力される映像信号に基づく映像や後述するプレイリスト画面６００と、後述する再生画面７００と、などを表示する。この表示部としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。そして、表示部の表示面は、ガラスやプラスチックなどの強度が強く、傷が付きにくい透光性部材で覆われている。
【００１９】
センサ部は、表示部の表示面を覆う透光性部材に設けられている。このセンサ部は、利用者が透光性部材に触れた際に、触れた位置を検知して、その座標位置を認識する。このセンサ部の構成としては、例えば、透光性部材に透明なフィルムを覆い、この透光性部材とフィルムとの隙間に電気回路を配線することにより構成される、いわゆる抵抗膜式センサや、透光性部材の表面の静電容量の変化を検地する静電容量式センサなどが挙げられるが、これに限らない。
【００２０】
信号出力部は、センサ部にて検知した接触位置の座標を処理部３５０に接触座標信号として出力する。ここで送信される座標は、表示部における接触位置の絶対位置に関する座標であってもよく、表示部全体からみた接触位置の相対位置であってもよい。
【００２１】
楽曲データ記憶手段３３０は、楽曲個別データを適宜読み出し可能に記憶する。この楽曲データ記憶手段３３０としては、ＨＤなどの磁気ディスク、ＣＤやＤＶＤなどの光ディスク、メモリカードなど、各種記録媒体に読み出し可能に記憶するドライブやドライバなどを備えた構成が例示できる。
【００２２】
楽曲個別データは、１つの楽曲に関する情報である。そして、楽曲個別データは、コンテンツデータとしての楽曲データと、楽曲内容情報と、などが１つのデータ構造として構成されたテーブル構造である。なお、楽曲個別データは、楽曲データのみで構成される場合もある。楽曲データは、楽曲の再生の際に用いられるデータであり、例えばＭＩＤＩ（Musical Instrument Digital Interface）形式やＷＡＶＥ形式あるいはＭＰＥＧ（Moving Picture Experts Group）形式などの楽曲を再生可能な形式により記録されている。楽曲内容情報は、楽曲データにより再生される楽曲に関する情報、すなわち例えば楽曲名、演奏者、再生時間、ジャンルなどに関する情報である。
【００２３】
メモリ３４０は、入力部３１０で入力操作される設定事項、例えば図２に示すような楽曲関連情報５００や図示しないプレイリストなどの処理部３５０で取得したり生成した各種情報、基準となる曲調に関するデータ、音声データや画像データ、楽曲再生装置３００全体を動作制御するＯＳ（Operating System）上に展開される各種プログラムなどを記憶している。このメモリ３４０としては、例えば停電などにより突然電源が落ちた際にも記憶が保持される構成のメモリ、例えばフラッシュメモリなどを用いることが望ましい。なお、メモリ３４０としては、ＨＤ、ＤＶＤ、光ディスクなどの記録媒体に読み出し可能に記憶するドライブやドライバなどを備えた構成としてもよい。
【００２４】
楽曲関連情報５００は、楽曲データ記憶手段３３０に記憶された楽曲データに関する情報である。そして、楽曲関連情報５００は、少なくとも１つの楽曲個別情報５１０が１つのデータ構造として関連付けられて構成されている。
【００２５】
楽曲個別情報５１０は、楽曲データ記憶手段３３０に記憶された所定の楽曲データに関する情報である。この楽曲個別情報５１０は、楽曲データ特定情報５１１と、ジャンル情報５１３と、区間特性情報としての少なくとも１つのパート情報５１４と、などが１つのデータ構造として関連付けられて構成されている。
【００２６】
楽曲データ特定情報５１１は、楽曲データ記憶手段３３０に記憶された所定の楽曲データを特定するための情報である。この楽曲データ特定情報５１１としては、楽曲データ記憶手段３３０に記憶された楽曲データのファイル名や楽曲名に関する情報などが例示できる。
【００２７】
ジャンル情報５１３は、楽曲データ特定情報５１１により特定される楽曲データのジャンルに関する情報である。ここで、ジャンルとしては、例えば、「歌謡曲」、「フォークソング」、「ポップス」、「ロック」、「ジャズ」、「クラシック」などが挙げられる。
【００２８】
パート情報５１４は、楽曲データ特定情報５１１により特定される楽曲データの複数のパートのうち所定のパートに関連付けられた曲調や内容に関する情報である。このパート情報５１４は、区間特定情報としてのパート特定情報５１４Ａと、特性情報、特性度合情報、および全体特性度合情報としての曲調ポイント情報５１４Ｂと、特性情報としての曲調情報５１４Ｃと、キーワード情報５１４Ｄと、特徴区間情報としてのサビフラグ情報５１４Ｅと、などが１つのデータ構造として関連付けられて構成されている。
【００２９】
パート特定情報５１４Ａは、楽曲データ特定情報５１１により特定される楽曲データにおける所定のパートの位置を特定する情報である。すなわち、パート特定情報５１４Ａは、パートの先端位置およびパートの後端位置が楽曲データの先端位置からの再生経過時間として記載されている。
【００３０】
曲調ポイント情報５１４Ｂは、パート特定情報５１４Ａにより特定されるパートにおける再生時間に対応した複数の曲調の曲調ポイントに関する情報である。ここで、曲調ポイントとは、例えば再生時間に対応した楽曲のコードなどの和音要素、楽曲のＢＰＭ（Beat Par Minute）や拍子などのテンポ要素、楽曲の音量などの音量要素、などの各曲調要素を数値化したポイントである。また、コードとは、１つの楽器により奏でられた和音や、複数の楽器によりそれぞれ奏でられた単音により構成される和音などであり、例えばＣメジャー（Ｃ）やＣマイナー（Ｃｍ）などが挙げられる。なお、曲調ポイント情報５１４Ｂは、例えば、「明るい」、「悲しい」、「ノリが良い」、「静かな」などの曲調におけるそれぞれの曲調ポイントを備えている。また、これら各曲調ポイントは、基準となる各曲調に基づいて、それぞれ例えば０から１００ポイントまでのいずれかに設定される。
【００３１】
曲調情報５１４Ｃは、パート特定情報５１４Ａにより特定されるパートの中で最も代表的な曲調および最大音量に関する情報である。ここで、代表的な曲調とは、パート特定情報５１４Ａにより特定されるパートにおいて、曲調ポイント情報５１４Ｂにおけるそれぞれの曲調ポイントの総和のうちその曲調ポイントの総和が最大となる曲調であり、例えばテキスト形式などで記述されている。すなわち、例えば、パート特定情報５１４Ａにより特定されるパートにおいて、それぞれの曲調ポイント情報５１４Ｂにおける曲調ポイントの総和が、「明るい」が３０ポイント、「悲しい」が０ポイント、「ノリが良い」が５０ポイント、「静かな」が３０ポイントである場合、このパートにおける代表的な曲調は「ノリが良い」となる。また、最大音量とは、パート特定情報５１４Ａにより特定されるパートにおいて、音量レベルが最大となる部分の音量である。
【００３２】
キーワード情報５１４Ｄは、パート特定情報５１４Ａにより特定されるパートにおけるキーワードに関する情報である。ここで、キーワードとは、例えば、「大好きな」、「懐かしい」、「元気が出る」、「泣ける」、「落ち着く」、「高揚する」など、利用者がパート特定情報５１４Ａにより特定されるパートを聴いた際にそのパートに対して抱いた主観的かつ情緒的な印象を示す言葉である。このキーワード情報５１４Ｄは、例えばテキスト形式で記述されている。
【００３３】
サビフラグ情報５１４Ｅは、楽曲データにおけるいわゆるサビとなるパートであるか否かを示すフラグ情報である。ここで、サビとは、楽曲全体の中で最も代表的かつ盛り上がる主題の部分であり、楽曲データを特徴付けるパートである。このサビは、例えば楽曲中で最も多く繰り返されるパートや、楽曲の演奏に関わる楽器構成の数が最大となるパートなどが例示できる。具体的には、サビフラグ情報５１４Ｅは、１であればパート特定情報５１４Ａで特定されたパートがサビである旨を示し、０であればサビでない旨を示す。
【００３４】
プレイリストは、例えば利用者の嗜好に合わせて選択的に関連付けられた、あるいはいわゆるアルバムとして販売されたり配信され演奏者や制作者により関連付けられた少なくとも１つの楽曲のリストである。そして、プレイリストは、プレイリスト名情報と、少なくとも１つの登録曲情報と、などが１つのデータ構造として関連付けられて構成されている。プレイリスト名情報は、所定のプレイリストの名称に関する情報である。登録曲情報は、楽曲関連情報５００における楽曲データ特定情報５１１の内容が記載された情報である。
【００３５】
処理部３５０は、図示しない各種入出力ポート、例えば入力部３１０が接続されるキー入力ポート、タッチパネル３２０が接続される表示ポート、楽曲データ記憶手段３３０が接続される楽曲記憶ポート、メモリ３４０が接続されるメモリポート、音声出力装置２００が接続される発音ポートなどを有する。そして、処理部３５０は、各種プログラムとして、図３に示すように、入力認識手段３５１と、データ取得手段、特性認識手段、および区間認識手段として機能する特性認識手段３５２と、区間特性情報生成手段、および区間キーワード情報生成手段として機能する楽曲関連情報生成手段３５３と、再生処理手段３５４と、全体特性度合認識手段、全体特性出力制御手段、および区間特性表示制御手段として機能する画面生成手段３５５と、計時手段３５６と、などを備えている。
【００３６】
入力認識手段３５１は、入力部３１０から送信される入力信号から楽曲再生システム１００における各種処理についての要求を認識する。また、入力認識手段３５１は、タッチパネル３２０の信号出力部から出力される接触座標信号を取得し、取得した接触座標信号に基づいて楽曲再生システム１００における各種処理についての要求を認識する。具体的には、入力認識手段３５１は、認識する要求として、所定の楽曲データの楽曲個別情報５１０を生成する旨の生成要求と、所定のパートの曲調情報５１４Ｃについて設定変更する旨の曲調の設定要求と、所定のパートのキーワード情報５１４Ｄについて設定変更する旨のキーワードの設定要求と、所定の楽曲データのジャンル情報５１３について設定変更する旨のジャンルの設定要求と、プレイリストを生成する旨のプレイリスト生成要求と、などを認識する。
【００３７】
また、入力認識手段３５１は、所定の楽曲データまたは所定の楽曲データの所定のパートを再生する旨の再生要求と、所定の曲調のパートを連続的に再生する旨のフィーリングプレイ要求と、サビとなるパートのうち所定の曲調のパートを連続的に再生する旨のフィーリングダイジェストプレイ要求と、などを認識する。
【００３８】
さらに、入力認識手段３５１は、現在再生中のパートの前後いずれかのパートを再生する旨の曲調スキップ要求と、現在再生中の楽曲データにおける後端のパートと略同一の曲調のパートを楽曲の先端に有した楽曲データを再生する旨のしりとり再生をする旨のしりとり再生要求と、所定の楽曲データを再生停止する旨の停止要求と、所定のプレイリストを表示する旨の表示要求と、などを認識する。
【００３９】
特性認識手段３５２は、楽曲データ記憶手段３３０に記憶された所定の楽曲データを取得する。具体的には、特性認識手段３５２は、入力認識手段３５１にて所定の楽曲データの楽曲個別情報５１０を生成する旨の生成要求が認識されると、楽曲個別情報５１０を生成する対象となる楽曲データを楽曲データ記憶手段３３０から認識する。そして、認識した楽曲データについて、楽曲データを特定するための情報および楽曲データのジャンルに関する情報を認識する。すなわち、特性認識手段３５２は、楽曲データ記憶手段３３０に記録された所定の楽曲データに対応する楽曲内容情報から、例えば楽曲名などの楽曲データを特定するための情報を認識し、楽曲データのジャンルに関する情報を認識する。
【００４０】
そして、特性認識手段３５２は、取得した楽曲データの少なくとも１つの曲調を認識する。具体的には、特性認識手段３５２は、楽曲個別情報５１０を生成する対象となる楽曲データを認識すると、楽曲データ記憶手段３３０に記録された所定の楽曲データから楽曲の再生時間に対応した少なくとも１つの曲調を認識する。そして、メモリ３４０に記憶された基準となる様々な曲調に関するデータを認識する。さらに、認識した楽曲データの曲調と基準となる様々な曲調とを比較することにより、例えば図４に示すような楽曲データの曲調ポイントを認識する。すなわち、図４（Ａ）や図４（Ｂ）に示すような「明るい」や「悲しい」などについての曲調ポイントは、例えば、コードやコード進行などの和音要素から認識する。この楽曲の和音要素から曲調ポイントを認識する方法としては、１２音階の各周波数に対応した基準波形とデジタル化された楽曲の波形とに基づいて、演算を適宜実施することによりコードを認識する方法が例示できるがこれに限られない。また、図４（Ｃ）や図４（Ｄ）に示すような「ノリが良い」や「静かな」などについての曲調ポイントは、例えば、楽曲のＢＰＭや拍子などのテンポ要素や、楽曲の音量などの音量要素から認識する。この楽曲のＢＰＭを認識する方法としては、例えば楽曲の波形から得られる音量エンベロープを微分処理し、この微分処理した値が閾値以上となる位置の間隔からＢＰＭを認識する方法が例示できるがこれに限られない。
【００４１】
また、特性認識手段３５２は、認識した楽曲データの曲調ポイントに基づいて、楽曲データのパートを認識する。具体的には、特性認識手段３５２は、例えば図４に示すような各曲調の曲調ポイントを認識すると、各曲調のうちいずれかの曲調の曲調ポイントが楽曲全体を通して大きく変化している変化位置を認識する。また、後述する計時手段３５６にて計時された時間に基づいて、曲調の変化位置を楽曲データの先端部からの再生経過時間として認識する。そして、それぞれの曲調のうちいずれかの曲調の変化位置間における区間をパートとして認識し、所定のパートの先端位置およびパートの後端位置を認識する。すなわち、特性認識手段３５２は、例えば、図４に示すような各曲調の曲調ポイントからパートを認識する場合、領域Ｉについては、図４（Ａ）に示す明るい曲調の曲調ポイントや図４（Ｂ）に示す悲しい曲調の曲調ポイントなどから認識する。領域ＩＩ、領域ＩＩＩ、領域ＩＶについては、図４（Ａ）に示す明るい曲調の曲調ポイントなどから認識する。領域Ｖについては、図４に示すいずれの曲調の曲調ポイントから認識する。
【００４２】
さらに、特性認識手段３５２は、所定のパートの中で最も代表的な曲調および最大音量を認識する。具体的には、特性認識手段３５２は、楽曲データの少なくとも１つのパートを認識すると、所定のパートにおける各曲調の曲調ポイントの総和をそれぞれ算出し、総和した値が最大となる曲調ポイントに対応する曲調を所定のパートの中で最も代表的な曲調であることを認識する。そして、認識した全てのパートについて、それぞれのパートの代表的な曲調を認識する。すなわち、例えば、特性認識手段３５２は、所定のパートにおいて、「明るい」曲調の曲調ポイントの総和が３０ポイント、「悲しい」曲調の曲調ポイントの総和が０ポイント、「ノリが良い」曲調の曲調ポイントの総和が５０ポイント、「静かな」曲調の曲調ポイントの総和が３０ポイントである場合、このパートにおける代表的な曲調は「ノリが良い」であることを認識する。また、特性認識手段３５２は、それぞれのパートにおける最大音量を認識する。
【００４３】
また、特性認識手段３５２は、楽曲データの少なくとも１つのパートのうち、所定のパートがサビであるか否かを認識する。具体的には、特性認識手段３５２は、楽曲データの少なくとも１つのパートを認識すると、各パートにおいて認識した各曲調ポイントに基づいて、互いに類似するパートを認識する。そして、例えば、楽曲中で最も多く繰り返されるパートが楽曲データを特徴付けるパート、すなわちサビとなるパートであることを認識する。
【００４４】
楽曲関連情報生成手段３５３は、少なくとも１つのパート情報５１４を生成する。具体的には、楽曲関連情報生成手段３５３は、特性認識手段３５２にて楽曲データの所定のパートの位置が認識されると、このパートの位置を記載したパート特定情報５１４Ａを生成する。そして、特性認識手段３５２にて認識された楽曲データの少なくとも１つの曲調についての曲調ポイントを記載した曲調ポイント情報５１４Ｂを生成する。さらに、特性認識手段３５２にて認識された代表的な曲調に基づいて、曲調情報５１４Ｃを生成する。また、入力認識手段３５１にて認識された所定のパートの曲調情報５１４Ｃについて設定変更する旨の曲調の設定要求に基づいて、曲調情報５１４Ｃを生成する。
【００４５】
さらに、楽曲関連情報生成手段３５３は、入力認識手段３５１にて認識されたキーワードの設定要求に基づいてキーワード情報５１４Ｄを生成する。また、特性認識手段３５２にて所定のパートがサビとなるパートであると認識された場合、このパートがサビとなるパートである旨を示す「１」のフラグ情報を組み込んだサビフラグ情報５１４Ｅを生成する。一方、特性認識手段３５２にて所定のパートがサビとなるパートでないと認識された場合、このパートがサビとなるパートでない旨を示す「０」のフラグ情報を組み込んだサビフラグ情報５１４Ｅを生成する。そして、楽曲関連情報生成手段３５３は、パート特定情報５１４Ａと、曲調ポイント情報５１４Ｂと、曲調情報５１４Ｃと、キーワード情報５１４Ｄと、サビフラグ情報５１４Ｅと、を１つのデータ構造として関連付けて構成したパート情報５１４を生成する。
【００４６】
そして、楽曲関連情報生成手段３５３は、楽曲関連情報５００を生成する。具体的には、楽曲関連情報生成手段３５３は、楽曲個別情報５１０の生成要求の対象となる所定の楽曲データについて少なくとも１つのパート情報５１４を生成すると、特性認識手段３５２にて認識された楽曲データを特定するための情報に基づいて楽曲データ特定情報５１１を生成する。また、特性認識手段３５２にて認識された楽曲データのジャンルに関する情報に基づいてジャンル情報５１３を生成する。そして、楽曲関連情報生成手段３５３は、楽曲データ特定情報５１１と、ジャンル情報５１３と、少なくとも１つのパート情報５１４と、などを１つのデータ構造として関連付けて構成した楽曲個別情報５１０を生成する。さらに、楽曲関連情報生成手段３５３は、新たに生成した楽曲個別情報５１０を楽曲関連情報５００に組み込む、すなわち、楽曲関連情報５００を生成し、これをメモリ３４０に記憶させる。
【００４７】
さらに、楽曲関連情報生成手段３５３は、プレイリストを生成する。具体的には、楽曲関連情報生成手段３５３は、入力認識手段３５１にて認識されたプレイリスト生成要求に基づいて、プレイリスト名情報を生成し、楽曲関連情報５００における楽曲データ特定情報５１１に基づいて少なくとも１つの登録曲情報を生成する。そして、プレイリスト名情報と、少なくとも１つの登録曲情報と、などを１つのデータ構造として関連付けて構成したプレイリストを生成する。そして、生成したプレイリストをメモリ３４０に記憶させる。
【００４８】
再生処理手段３５４は、楽曲データを再生する際に機能する。この再生処理手段３５４は、キーワードコンテンツ検索手段、異特性区間認識手段、後端特性認識手段、コンテンツ端部検索手段、および、特定コンテンツ検索手段として機能する再生対象認識手段３５４Ａと、再生制御手段３５４Ｂと、を備えている。
【００４９】
再生対象認識手段３５４Ａは、入力認識手段３５１にて所定の楽曲データまたは所定の楽曲データの所定のパートを再生する旨の再生要求が認識されると、再生対象となるコンテンツデータあるいは所定のコンテンツデータの特定のパートを認識する。具体的には、再生対象認識手段３５４Ａは、入力認識手段３５１にて所定の楽曲データまたは所定の楽曲データの所定のパートを再生する旨の再生要求が認識されると、メモリ３４０に記憶された楽曲関連情報５００におけるパート情報５１４に基づいて、所定の楽曲データ、所定のジャンルの楽曲データ、所定の楽曲データのうち所定のパート、所定の曲調のパート、所定のキーワードに対応するパート、などを検索する。そして、これら所定の楽曲データ、所定の楽曲データのうち所定のパートを再生対象として認識する。
【００５０】
また、再生対象認識手段３５４Ａは、入力認識手段３５１にてフィーリングプレイ要求が認識されると、所定の曲調のパートを再生対象として認識する。具体的には、再生対象認識手段３５４Ａは、入力認識手段３５１にてフィーリングプレイ要求が認識されると、特定の曲調の曲調情報５１４Ｃに関連付けられたパートを有する楽曲データを楽曲データ記憶手段３３０から検索する。すなわち、楽曲関連情報５００に組み込まれた楽曲個別情報５１０の中から、特定の曲調を含む曲調情報５１４Ｃと関連付けられた楽曲個別情報５１０を全て検索する。そして、検索した特定の曲調を含むパートの全てを再生対象として認識する。
【００５１】
さらに、再生対象認識手段３５４Ａは、入力認識手段３５１にてフィーリングダイジェストプレイ要求が認識されると、サビとなるパートのうち所定の曲調のパートを再生対象として認識する。すなわち、再生対象認識手段３５４Ａは、入力認識手段３５１にてフィーリングダイジェストプレイ要求が認識されると、特定の曲調の曲調情報５１４Ｃに関連付けられたサビとなるパートを含む楽曲データを楽曲データ記憶手段３３０から検索する。すなわち、楽曲関連情報５００に組み込まれた楽曲個別情報５１０の中から、サビフラグ情報５１４Ｅのフラグが「１」に設定されたパートに対応するパート情報５１４を検索し、さらに、検索したサビとなるパートのうち特定の曲調を含む曲調情報５１４Ｃと関連付けられたパート情報５１４を検索する。そして、検索したサビとなるパートのうち所定の曲調のパートの全てを再生対象として認識する。
【００５２】
また、再生対象認識手段３５４Ａは、入力認識手段３５１にて曲調スキップ要求が認識されると、現在再生中のパートの前後いずれかのパートを再生対象として認識する。具体的には、再生対象認識手段３５４Ａは、入力認識手段３５１にて現在再生中のパートの前のパートを再生する旨の曲調ステップ要求が認識されると、現在再生中のパートの前のパートに対応するパート特定情報５１４Ａを認識し、このパートを再生対象として認識する。また、再生対象認識手段３５４Ａは、入力認識手段３５１にて現在再生中のパートの後のパートを再生する旨の曲調ステップ要求が認識されると、現在再生中のパートの後のパートに対応するパート特定情報５１４Ａを認識し、このパートを再生対象として認識する。
【００５３】
さらに、再生対象認識手段３５４Ａは、入力認識手段３５１にてしりとり再生要求が認識されると、現在再生中の楽曲データの後端のパートにおける代表的な曲調と略同一の代表的な曲調を楽曲データの先端のパートに有した楽曲データを次の再生対象として認識する。具体的には、再生対象認識手段３５４Ａは、入力認識手段３５１にてしりとり再生要求が認識されると、現在再生中の楽曲データにおける後端のパートに関連付けられた曲調情報５１４Ｃを認識する。そして、先端のパートに関連付けられた曲調情報５１４Ｃの代表的な曲調が認識した後端のパートの代表的な曲調と略同一の楽曲データに対応する楽曲個別情報５１０を楽曲関連情報５００からランダムに検索する。さらに、検索した楽曲データを現在再生中の楽曲データの再生が終了した直後に再生させる対象であると認識する。なお、再生対象認識手段３５４Ａは、入力認識手段３５１にて停止要求が認識されるまで、次の再生対象を認識し続ける。
【００５４】
再生制御手段３５４Ｂは、再生対象認識手段３５４Ａにて認識された再生対象を再生可能な状態に制御する。具体的には、再生制御手段３５４Ｂは、入力認識手段３５１にて楽曲データを再生する旨の要求が認識され、さらに再生対象認識手段３５４Ａにて再生対象となる所定の楽曲データまたは所定のパートが認識されると、再生対象認識手段３５４Ａにて認識された再生対象と対応する楽曲データまたは所定のパートを再生させる。すなわち、再生制御手段３５４Ｂは、再生対象認識手段３５４Ａにて認識された再生対象と対応する楽曲データまたは所定のパートを楽曲データ記憶手段３３０に読み出させる。そして、楽曲データ記憶手段３３０に読み出させた楽曲データまたは所定のパートを適宜処理し、処理した楽曲データまたは所定のパートを音声出力装置２００に出力させる。また、再生制御手段３５４Ｂは、入力認識手段３５１にて停止要求が認識されると、楽曲データ記憶手段３３０に楽曲データまたは所定のパートの読み出しを停止させ、音声出力装置２００に楽曲データまたは所定のパートの出力を停止させる。
【００５５】
また、再生制御手段３５４Ｂは、入力認識手段３５１にて認識されたフィーリングプレイ要求に基づいて、再生対象認識手段３５４Ａが所定の曲調のパートを再生対象として認識すると、再生対象認識手段３５４Ａで認識された全ての再生対象と対応する楽曲データのパートを連続的に再生する。そして、再生した楽曲データを音声出力装置２００に出力させる。なお、再生制御手段３５４Ｂは、入力認識手段３５１にて停止要求が認識されるまで、全ての再生対象を繰り返して連続的に再生する。
【００５６】
そして、再生制御手段３５４Ｂは、入力認識手段３５１にて認識されたフィーリングダイジェストプレイ要求に基づいて、再生対象認識手段３５４Ａがサビとなるパートのうち所定の曲調のパートを再生対象として認識すると、再生対象認識手段３５４Ａで認識された全ての再生対象に対応する楽曲データのパートを連続的に再生する。そして、再生した楽曲データを音声出力装置２００に出力させる。なお、再生制御手段３５４Ｂは、入力認識手段３５１にて停止要求が認識されるまで、全ての再生対象を繰り返して連続的に再生する。
【００５７】
また、再生制御手段３５４Ｂは、入力認識手段３５１にて認識された曲調スキップ要求に基づいて、再生対象認識手段３５４Ａが現在再生中のパートの前後いずれかのパートを再生対象として認識すると、現在再生中のパートに変えて再生対象認識手段３５４Ａで認識された再生対象に対応するパートの再生を開始させる。すなわち、再生対象認識手段３５４Ａが現在再生中のパートの前のパートを再生対象として認識すると、再生対象認識手段３５４Ａで認識されたパート特定情報５１４Ａに基づいて現在再生中のパートの前のパートを再生開始し、音声出力装置２００に出力させる。一方、再生対象認識手段３５４Ａが現在再生中のパートの後のパートを再生対象として認識すると、再生対象認識手段３５４Ａで認識されたパート特定情報５１４Ａに基づいて現在再生中のパートの後のパートを再生開始し、音声出力装置２００に出力させる。
【００５８】
さらに、再生制御手段３５４Ｂは、入力認識手段３５１にて認識されたしりとり再生要求に基づいて、再生対象認識手段３５４Ａが次の再生対象を認識すると、現在再生中の楽曲データの再生が終了した後に再生対象認識手段３５４Ａで認識された次の再生対象を再生する。具体的には、再生制御手段３５４Ｂが現在所定の楽曲データを再生しており、再生対象認識手段３５４Ａが現在再生中の楽曲データにおける後端のパートの代表的な曲調と略同一の代表的な曲調を楽曲データの先端部に有した楽曲データを次の再生対象として認識する。そして、再生制御手段３５４Ｂは、再生中の楽曲データの再生が終了すると、再生対象認識手段３５４Ａで認識された次の再生対象となる楽曲データの再生を開始させる。なお、再生制御手段３５４Ｂは、入力認識手段３５１にて停止要求が認識されるまで、この処理を連続的に繰り返す。
【００５９】
画面生成手段３５５は、入力認識手段３５１により所定のプレイリストの表示要求が認識されると、要求された所定のプレイリストを表示させる。具体的には、画面生成手段３５５は、入力認識手段３５１により認識された所定のプレイリストの表示要求に基づいて、メモリ３４０に記憶されたプレイリストから表示させるプレイリストを特定する。そして、特定したプレイリストのプレイリスト名情報に関連付けられた登録曲情報に対応する楽曲データ特定情報５１１を楽曲関連情報５００から検索して認識する。また、認識した楽曲データ特定情報５１１に関連付けられた少なくとも１つの曲調ポイント情報５１４Ｂのそれぞれに基づいて、認識した楽曲データ特定情報５１１に対応する楽曲データのそれぞれについて全体特性度合情報としての全体曲調ポイントを認識する。
【００６０】
すなわち、画面生成手段３５５は、認識した楽曲データ特定情報５１１のうち所定の楽曲データ特定情報５１１に関連付けられた少なくとも１つの曲調ポイント情報５１４Ｂを認識する。そして、認識した曲調ポイント情報５１４Ｂからさらに明るい曲調についての曲調ポイントと、悲しい曲調についての曲調ポイントと、ノリが良い曲調についての曲調ポイントと、静かな曲調についての曲調ポイントと、をそれぞれ認識する。また、所定の楽曲データの全てのパートにおいて認識した各曲調ポイントを、各曲調ポイント毎に加算して４種の曲調に対応した４つの全体曲調ポイントをそれぞれ認識する。そして、プレイリストに登録された全ての楽曲データのそれぞれについて、各楽曲データ毎にそれぞれ４つの全体曲調ポイントを認識する。さらに、各楽曲データ毎に認識した４つの全体曲調ポイントを、例えば図５に示すようなプレイリスト画面６００に盛り込んでタッチパネル３２０に一覧表示させる。
【００６１】
ここで、プレイリスト画面６００について図５に基づいて説明する。プレイリスト画面６００は、プレイリストに登録された楽曲データの楽曲名や４つの全体曲調ポイントなどを一覧表示した画面である。このプレイリスト画面６００は、プレイリスト名領域６１０と、曲調ポイント項目領域６２０と、個別楽曲情報領域６３０と、などを備えている。なお、プレイリスト画面６００は、所定の曲調のパートを検索する際、所定のキーワードを含むパートを検索する際、所定のジャンルの楽曲データを検索する際、などにおいても適用できる。
【００６２】
プレイリスト名領域６１０は、画面上部に設けられた領域であり、画面生成手段３５５にて認識されたプレイリスト名情報に基づいてプレイリスト名が表示される。曲調ポイント項目領域６２０は、画面中央部において画面行方向に沿って並列した複数の矩形状の領域であり、各曲調のそれぞれの曲調名が表示される。この曲調ポイント項目領域６２０は、明るい領域６２１と、悲しい領域６２２と、ノリが良い領域６２３と、静かな領域６２４と、を備えている。明るい領域６２１は、明るい曲調の全体曲調ポイントについての表示領域である。悲しい領域６２２は、悲しい曲調の全体曲調ポイントについての表示領域である。ノリが良い領域６２３は、ノリが良い曲調の全体曲調ポイントについての表示領域である。静かな領域６２４は、静かな曲調の全体曲調ポイントについての表示領域である。
【００６３】
個別楽曲情報領域６３０は、画面中央部において画面行方向に沿って延びた長尺矩形状の領域であり、特定したプレイリストに登録された楽曲データの数分だけ画面列方向に並列して設けられる。この個別楽曲情報領域６３０には、プレイリストに登録されたそれぞれの楽曲データの各種情報が表示される。そして、個別楽曲情報領域６３０には、それぞれ楽曲タイトル領域６３１と、明るい曲調ポイント領域６３２と、悲しい曲調ポイント領域６３３と、ノリが良い曲調ポイント領域６３４と、静かな曲調ポイント領域６３５と、が画面行方向に沿って並ぶ状態に配設されている。
【００６４】
楽曲タイトル領域６３１は、個別楽曲情報領域６３０の画面行方向の左側に配設され、楽曲データ特定情報５１１に基づいて、プレイリストに登録されたそれぞれの楽曲データのタイトル名が表示される。明るい曲調ポイント領域６３２は、明るい領域６２１と対応する位置に設けられ、楽曲データ特定情報５１１に関連付けられた曲調ポイント情報５１４Ｂに基づいて、明るい曲調の全体曲調ポイントが表示される。悲しい曲調ポイント領域６３３は、悲しい領域６２２と対応する位置に設けられ、楽曲データ特定情報５１１に関連付けられた曲調ポイント情報５１４Ｂに基づいて、悲しい曲調の全体曲調ポイントが表示される。ノリが良い曲調ポイント領域６３４は、ノリが良い領域６２３と対応する位置に設けられ、楽曲データ特定情報５１１に関連付けられた曲調ポイント情報５１４Ｂに基づいて、ノリが良い曲調の全体曲調ポイントが表示される。静かな曲調ポイント領域６３５は、静かな領域６２４と対応する位置に設けられ、楽曲データ特定情報５１１に関連付けられた曲調ポイント情報５１４Ｂに基づいて、ノリが良い曲調の全体曲調ポイントが表示される。また、これら明るい曲調ポイント領域６３２と、悲しい曲調ポイント領域６３３と、ノリが良い曲調ポイント領域６３４と、静かな曲調ポイント領域６３５とには、それぞれ各曲調の全体曲調ポイントに対応する数値が表示され、これと並んだ状態で長辺の長さが全体曲調ポイントに対応した長尺矩形が表示される。
【００６５】
また、画面生成手段３５５は、入力認識手段３５１により所定の楽曲データの再生要求が認識されると、再生制御手段３５４Ｂの制御により再生中の所定の楽曲データにおける所定のパートに関連付けられたパート情報５１４をタッチパネル３２０で出力させる。そして、楽曲データの再生位置に関する再生位置情報を、再生位置を含むパートに関連付けられた曲調情報５１４Ｃの曲調に対応する出力形態でタッチパネル３２０に表示させる。すなわち、画面生成手段３５５は、例えば、図６に示すような再生画面７００を生成し、タッチパネル３２０に表示させる。
【００６６】
ここで、再生画面７００について図６に基づいて説明する。再生画面７００は、所定の楽曲データを再生する際に示される画面であり、再生中の所定のパートの各種情報を設定する設定画面としても機能する。この再生画面７００は、第１再生楽曲表示領域７１０と、第２再生楽曲表示領域７２０と、現在再生位置領域７２５と、設定領域７３０と、曲調スキップ領域７４０と、を備えている。なお、再生画面７００は、フィーリングプレイ要求による再生時、フィーリングダイジェストプレイ要求による再生時、しりとり再生要求による再生時、などにおいても使用される。
【００６７】
第１再生楽曲表示領域７１０は、画面上部に設けられた領域であり、再生中の楽曲データについての各種情報が表示される。この第１再生楽曲表示領域７１０は、タイトル領域７１１と、曲調領域７１２と、再生時間領域７１３と、を備えている。タイトル領域７１１は、画面上部の左側に設けられた領域であり、楽曲データ特定情報５１１に基づいて再生中の楽曲データのタイトル名が表示される。曲調領域７１２は、画面上部の左側でタイトル領域７１１に並列して設けられた領域であり、曲調情報５１４Ｃに基づいて再生中のパートの代表的な曲調が表示される。再生時間領域７１３は、画面上部の右側に設けられた領域であり、後述する計時手段３５６にて計時された時間情報に基づいて、現在の再生時間が表示される。
【００６８】
第２再生楽曲表示領域７２０は、画面略中央部において設けられ、長尺が画面行方向に延びた長尺矩形状の領域である。この第２再生楽曲表示領域７２０は、再生中の楽曲データについての各種情報が再生時間順に並んだタイムテーブル状に表示されている。そして、第２再生楽曲表示領域７２０には、タイトル領域７２１と、曲調領域７２２と、区間位置情報としてのキーワード領域７２３と、ジャンル領域７２４と、が設けられている。
【００６９】
タイトル領域７２１は、第２再生楽曲表示領域７２０の上部に設けられた長尺矩形状の領域であり、楽曲データ特定情報５１１に基づいて再生中の楽曲データのタイトル名が表示される。曲調領域７２２は、タイトル領域７２１の下側に並列して設けられた長尺矩形状の領域であり、曲調情報５１４Ｃに基づいて楽曲データの複数のパートにおけるそれぞれの代表的な曲調が再生時間順に並んで表示される。キーワード領域７２３は、曲調領域７２２の下側に並列して設けられた長尺矩形状の領域であり、キーワード情報５１４Ｄに基づいて楽曲データの複数のパートにおけるそれぞれのキーワードが再生時間順に並んで表示される。ジャンル領域７２４は、キーワード領域７２３の下側に並列して設けられた長尺矩形状の領域であり、ジャンル情報５１３に基づいて再生中の楽曲データのジャンルが表示される。
【００７０】
現在再生位置領域７２５は、第２再生楽曲表示領域７２０の上側に設けられ、略矩形状の枠の一端側に矢印が形成された形状の領域である。この現在再生位置領域７２５は、現在の再生位置を示す表示であり、後述する計時手段３５６にて計時された時間情報に基づいて、楽曲データの再生時間と対応させて楽曲データの先端部から最後部へ向かう方向に移動する状態で表示される。そして、現在再生位置領域７２５は、曲調領域７２２のうち現在再生中のパートの代表的な曲調や、キーワード領域７２３のうち現在再生中のパートのキーワードが表示された部位を指し示す形態で表示される。また、現在再生位置領域７２５の略矩形状の枠中には、曲調情報５１４Ｃに基づいて最大音量が表示され、また後述する計時手段３５６にて計時された時間情報に基づいて、現在の再生時間が表示される。
【００７１】
設定領域７３０は、画面下部側において設けられ、長尺が画面行方向に延びた略長尺矩形状の領域である。この設定領域７３０には、曲調設定領域７３１と、キーワード設定領域７３２と、ジャンル設定領域７３３と、が設けられている。なお、タッチパネル３２０の表示面における設定領域７３０のいずれかの表示に対応する部位を利用者が選択する、すなわち触れることにより、タッチパネル３２０の信号出力部から入力認識手段３５１に接触座標信号が出力される。また、入力認識手段３５１は、接触座標信号に基づいて、再生中の所定のパートの各種情報を設定する旨の設定要求を認識する。
【００７２】
曲調設定領域７３１は、設定領域７３０における上部に設けられた長尺矩形状の領域であり、現在再生中のパートの代表的な曲調を所定の曲調に設定するための表示である。この曲調設定領域７３１には、複数の曲調が表示されており、タッチパネル３２０の表示面におけるいずれかの表示を利用者が触れることにより、入力認識手段３５１は再生中の所定のパートの曲調情報５１４Ｃを設定変更する旨の曲調の設定要求を認識する。そして、この曲調の設定要求に基づいて、楽曲関連情報生成手段３５３により所定のパートの曲調情報５１４Ｃが変更され、画面生成手段３５５により曲調領域７１２および曲調領域７２２の表示が変更される。
【００７３】
キーワード設定領域７３２は、設定領域７３０の略中間に設けられた長尺矩形状の領域であり、現在再生中の楽曲データのパートに所定のキーワードを関連付けて設定するための表示である。このキーワード設定領域７３２には、複数のキーワードが表示されており、タッチパネル３２０の表示面におけるいずれかの表示を利用者が触れることにより、入力認識手段３５１は、再生中の所定のパートのキーワード情報５１４Ｄを設定する旨のキーワードの設定要求を認識する。そして、このキーワードの設定要求に基づいて、楽曲関連情報生成手段３５３により所定のパートのキーワード情報５１４Ｄが生成され、画面生成手段３５５によりキーワード領域７２３の表示が変更される。
【００７４】
ジャンル設定領域７３３は、設定領域７３０における下部に設けられた長尺矩形状の領域であり、現在再生中の楽曲データのジャンルを設定変更するための表示である。このジャンル設定領域７３３には、複数種のジャンルが表示されており、タッチパネル３２０の表示面におけるいずれかの表示を利用者が触れることにより、入力認識手段３５１は、再生中の楽曲データのジャンル情報５１３を設定変更する旨のジャンルの設定要求を認識する。そして、このジャンルの設定要求に基づいて、楽曲関連情報生成手段３５３により所定の楽曲データのジャンル情報５１３が生成され、画面生成手段３５５によりジャンル領域７２４の表示が変更される。
【００７５】
曲調スキップ領域７４０は、画面下側に設けられ、曲調先送りボタン７４１と、曲調前戻りボタン７４２と、を備えている。曲調先送りボタン７４１は、現在再生中のパートの後のパートを再生させるための表示である。曲調前戻りボタン７４２は、現在再生中のパートの前のパートを再生させるための表示である。そして、タッチパネル３２０の表示面における曲調先送りボタン７４１または曲調前戻りボタン７４２のいずれかの表示を利用者が触れることにより、入力認識手段３５１は現在再生中のパートの前後いずれかのパートを再生する旨の曲調スキップ要求を認識する。
【００７６】
計時手段３５６は、例えば内部クロックなどの基準パルスに基づいて時間を計時し、計時した時間に関する時間情報を生成する。
【００７７】
〔楽曲データ記録再生システムの動作〕
次に、楽曲再生システム１００の動作を図面に基づいて適宜説明する。
【００７８】
（楽曲個別情報生成処理）
まず、楽曲再生システム１００の動作として、コンテンツ記録処理について図７に基づいて説明する。図７は、楽曲個別情報生成処理の動作を示すフローチャートである。
【００７９】
楽曲再生システム１００の電源がＯＮの状態で利用者からの入力を待機している状態において、利用者からの入力操作により所定の楽曲データの楽曲個別情報５１０の生成が要求されると、入力認識手段３５１は、入力部３１０から送信される入力信号に基づいて、所定の楽曲データの楽曲個別情報５１０の生成要求を認識する。そして、特性認識手段３５２は、入力認識手段３５１にて認識された楽曲個別情報５１０の生成処理の要求に基づいて、所定の楽曲データを取得する（ステップＳ１０１）。また、取得した楽曲データの曲調を認識し、認識した曲調と基準となる曲調とを比較することにより、例えば図４に示すような楽曲データの曲調ポイントを認識する（ステップＳ１０２）。さらに、特性認識手段３５２は、認識した曲調ポイントに基づいて複数のパートを認識し（ステップＳ１０３）、そのパート数Ｎを認識する（ステップＳ１０４）。そして、所定のパートを識別する旨の識別番号Ｋを１（Ｋ＝１）と認識する、すなわち所定の楽曲データにおける先端のパートについてパート情報５１４を生成することを認識する（ステップＳ１０５）。
【００８０】
この後、楽曲関連情報生成手段３５３は、計時手段３５６により生成された時間情報に基づいて当該先端のパートについてのパート特定情報５１４Ａを生成する（ステップＳ１０６）。さらに、楽曲関連情報生成手段３５３は、特性認識手段３５２にて認識されたこのパートにおける曲調ポイントに基づいて、曲調ポイント情報５１４Ｂを生成し（ステップＳ１０７）、また、曲調情報５１４Ｃを生成する（ステップＳ１０８）。
【００８１】
この後、入力認識手段３５１は、キーワードの設定要求がされているか否かを認識する（ステップＳ１０９）。そして、入力認識手段３５１にてキーワードの設定要求が認識された場合、楽曲関連情報生成手段３５３は、認識されたキーワードの設定要求に基づいて、キーワード情報５１４Ｄを生成する（ステップＳ１１０）。さらに、特性認識手段３５２は、現在認識しているパートがサビであるか否かを認識する（ステップＳ１１１）。一方、ステップＳ１０９において、入力認識手段３５１にてキーワードの設定要求がされていないと認識された場合、特性認識手段３５２は、ステップＳ１１１の処理を実施する。
【００８２】
そして、ステップＳ１１１において、特性認識手段３５２にて現在認識されているパートがサビであると認識された場合、楽曲関連情報生成手段３５３は、「１」に設定されたフラグ情報を組み込んだサビフラグ情報５１４Ｅを生成する（ステップＳ１１２）。一方、ステップＳ１１１において、特性認識手段３５２にて現在認識されているパートがサビでないと認識された場合、楽曲関連情報生成手段３５３は、「０」に設定されたフラグ情報を組み込んだサビフラグ情報５１４Ｅを生成する（ステップＳ１１３）。そして、楽曲関連情報生成手段３５３は、パート特定情報５１４Ａと、曲調ポイント情報５１４Ｂと、曲調情報５１４Ｃと、キーワード情報５１４Ｄと、サビフラグ情報５１４Ｅと、を１つのデータ構造として関連付けて構成したパート情報５１４を生成する。
【００８３】
この後、曲調認識手段は、識別番号Ｋがパート数Ｎに等しいか否かを判断し（ステップＳ１１４）、識別番号Ｋがパート数Ｎに等しくないと判断された場合、識別番号Ｋに１を加える（Ｋ＝Ｋ＋１）処理、すなわち次のパートのパート情報５１４を生成することを認識する（ステップＳ１１５）。この後、楽曲関連情報生成手段３５３は、ステップＳ１０６の処理を実施する。
【００８４】
一方、ステップＳ１１４において、曲調認識手段にて識別番号Ｋがパート数Ｎに等しいと認識された場合、すなわち所定の楽曲データの全てのパートについてパート情報５１４が生成されたことを認識すると、楽曲関連情報生成手段３５３は、楽曲個別情報５１０を生成する（ステップＳ１１６）。すなわち、楽曲データ特定情報５１１と、ジャンル情報５１３と、を生成し、楽曲データ特定情報５１１と、ジャンル情報５１３と、少なくとも１つのパート情報５１４と、などを１つのデータ構造として関連付けて構成した楽曲個別情報５１０を生成する。さらに、楽曲関連情報生成手段３５３は、新たに生成した楽曲個別情報５１０を楽曲関連情報５００に組み込む。
【００８５】
（プレイリスト表示処理）
次に、楽曲再生システム１００の動作として、プレイリスト表示処理について図８に基づいて説明する。図８は、プレイリスト表示処理の動作を示すフローチャートである。
【００８６】
楽曲再生システム１００の電源がＯＮの状態で利用者からの入力を待機する状態において、利用者からの入力操作により所定のプレイリストの表示が要求されると、入力認識手段３５１は、入力部３１０から送信される入力信号に基づいて、所定のプレイリストの表示要求を認識する。そして、画面生成手段３５５は、入力認識手段３５１にて認識されたプレイリストの表示要求に基づいて、メモリ３４０に記憶されたプレイリストの中から表示させるプレイリストを特定し（ステップＳ２０１）、特定したプレイリストに登録された楽曲データ数である登録曲数Ｍを認識する（ステップＳ２０２）。この後、画面生成手段３５５は、例えば図５に示すプレイリスト画面６００をタッチパネル３２０に表示させる（ステップＳ２０３）。すなわち、プレイリスト名領域６１０、および曲調ポイント項目領域６２０における明るい領域６２１と、悲しい領域６２２と、ノリが良い領域６２３と、静かな領域６２４とを表示させる。
【００８７】
さらに、画面生成手段３５５は、プレイリストに表示させる所定の楽曲データの楽曲個別情報５１０を識別する旨の識別番号Ｐを１（Ｐ＝１）と認識する、すなわち、特定したプレイリストに登録された１番目の楽曲データの楽曲個別情報５１０を認識する（ステップＳ２０４）。そして、画面生成手段３５５は、個別楽曲情報領域６３０における楽曲タイトル領域６３１に１番目の楽曲の曲名を表示させる（ステップＳ２０５）。そして、明るい曲調ポイント領域６３２に１番目の楽曲の明るいポイントすなわち明るい曲調についての全体曲調ポイントを表示させる（ステップＳ２０６）。また、悲しい曲調ポイント領域６３３に１番目の楽曲の悲しいポイントすなわち悲しい曲調についての全体曲調ポイントを表示させる（ステップＳ２０７）。さらに、ノリが良い曲調ポイント領域６３４に１番目の楽曲のノリが良いポイントすなわちノリが良い曲調についての全体曲調ポイントを表示させる（ステップＳ２０８）。また、静かな曲調ポイント領域６３５に、1番目の楽曲の静かなポイントすなわち静かな曲調についての全体曲調ポイントを表示させる（ステップＳ２０９）。
【００８８】
そして、画面生成手段３５５は、識別番号Ｐが登録曲数Ｍに等しいか否かを判断し（ステップＳ２１０）、識別番号Ｋが登録曲数Ｍに等しくないと判断された場合、識別番号Ｐに１を加える（Ｐ＝Ｐ＋１）処理を実施する、すなわち特定したプレイリストに登録された２番目の楽曲データの楽曲個別情報５１０を認識する（ステップＳ２１１）。この後、画面生成手段３５５は、ステップＳ２０５の処理を実施する。一方、ステップＳ２１０において、曲調認識手段にて識別番号Ｐが登録曲数Ｍに等しいと認識された場合、処理を終了する。
【００８９】
（再生処理）
次に、楽曲再生システム１００の動作として、楽曲データの再生処理について図９に基づいて説明する。図９は、楽曲データの再生処理の動作を示すフローチャートである。
【００９０】
楽曲再生システム１００の電源がＯＮの状態で利用者からの入力を待機する状態において、利用者からの入力操作により所定の楽曲データの再生が要求されると、入力認識手段３５１は、入力部３１０から送信される入力信号に基づいて、所定の楽曲データの再生要求を認識する。そして、再生対象認識手段３５４Ａは、再生対象を認識する、すなわち、入力認識手段３５１にて認識された再生要求に基づいて再生対象となる楽曲データに対応する楽曲個別情報５１０を認識する（ステップＳ３０１）。
【００９１】
そして、再生対象認識手段３５４Ａにて再生対象が認識されると、画面生成手段３５５は、再生対象認識手段３５４Ａにて認識された楽曲個別情報５１０に基づいて、例えば図６に示す再生画面７００をタッチパネル３２０に表示させる（ステップＳ３０２）。また、再生制御手段３５４Ｂは、再生対象認識手段３５４Ａにて認識された楽曲個別情報５１０に基づいて、所定の楽曲データを再生する（ステップＳ３０３）。
【００９２】
楽曲データの再生中において、画面生成手段３５５は、再生画面７００における曲調領域７１２に現在再生中のパートの曲調を再生時間と連動して表示させ、再生時間領域７１３に現在の再生時間を表示させる。また、現在再生位置領域７２５を再生時間と対応させて楽曲データの先端から後端へ向かう方向に移動する状態で表示させる。さらに、この現在再生位置領域７２５の中に最大音量および現在再生時間を表示させる。
【００９３】
そして、再生中において、入力認識手段３５１は、曲調スキップ要求がされたか否かを認識する（ステップＳ３０４）。すなわち、タッチパネル３２０の表示面における曲調先送りボタン７４１または曲調前戻りボタン７４２のいずれかの表示を利用者が触れることにより、入力認識手段３５１は現在再生中のパートの前後いずれかのパートを再生する旨の曲調スキップ要求を認識する。そして、入力認識手段３５１にて曲調スキップ要求がされたと認識された場合、再生制御手段３５４Ｂは、次のパートまたは前のパートを再生、すなわち、現在再生中のパートの前後いずれかのパートを再生する（ステップＳ３０５）。
【００９４】
この後、再生中において、入力認識手段３５１は、曲調の設定要求がされたか否かを認識する（ステップＳ３０６）。すなわち、タッチパネル３２０の表示面に表示された曲調設定領域７３１におけるいずれかの表示を利用者が触れることにより、入力認識手段３５１は再生中の所定のパートの曲調情報５１４Ｃを設定変更する旨の曲調の設定要求を認識する。一方、ステップＳ３０４において、入力認識手段３５１は、曲調スキップ要求がされていないと認識した場合、ステップＳ３０６の処理を実施する。そして、ステップＳ３０６において、入力認識手段３５１にて曲調の設定要求がされたと認識された場合、曲調を設定する（ステップＳ３０７）。すなわち、入力認識手段３５１にて認識された曲調の設定要求に基づいて、楽曲関連情報生成手段３５３は所定のパートの曲調情報５１４Ｃを変更し、画面生成手段３５５は曲調領域７１２および曲調領域７２２の表示を変更する。
【００９５】
この後、入力認識手段３５１は、キーワードの設定要求がされたか否かを認識する（ステップＳ３０８）。すなわち、例えば、タッチパネル３２０をタッチパネル式とした場合、タッチパネル３２０の表示面に表示されたキーワード設定領域７３２におけるいずれかの表示を利用者が触れることにより、入力認識手段３５１は、再生中の所定のパートのキーワード情報５１４Ｄを設定する旨のキーワードの設定要求を認識する。一方、ステップＳ３０６において、入力認識手段３５１は、曲調の設定要求がされていないと認識した場合、ステップＳ３０８の処理を実施する。
【００９６】
そして、ステップＳ３０８において、入力認識手段３５１にてキーワードの設定要求がされたと認識された場合、キーワードを設定する（ステップＳ３０９）。すなわち、楽曲関連情報生成手段３５３は、現在再生中のパートに対応するキーワード情報５１４Ｄを設定要求に基づいて変更し、同時に、画面生成手段３５５は、再生画面７００におけるキーワード領域７２３の表示を設定要求に基づいて変更する。そして、入力認識手段３５１は、利用者からの入力操作により停止要求がされたか否かを認識する（ステップＳ３１０）。一方、ステップＳ３０８において、入力認識手段３５１は、曲調の設定要求がされていないと認識した場合、ステップＳ３１０の処理を実施する。
【００９７】
そして、ステップＳ３１０において、入力認識手段３５１にて停止要求がされたと認識された場合、再生制御手段３５４Ｂは、再生を停止する。一方、ステップＳ３１０において、入力認識手段３５１にて停止要求がされていないと認識された場合、ステップＳ３０４の処理を実施する。
【００９８】
（フィーリングプレイ処理）
次に、楽曲再生システム１００の動作として、フィーリングプレイ処理について説明する。楽曲再生システム１００の電源がＯＮの状態で利用者からの入力を待機する状態において、利用者からの入力操作によりフィーリングプレイが要求され、入力認識手段３５１がフィーリングプレイ要求を認識する。入力認識手段３５１にてフィーリングプレイ要求が認識されると、再生対象認識手段３５４Ａは、所定の曲調のパートを再生対象として認識する。そして、再生制御手段３５４Ｂは、再生対象認識手段３５４Ａにて認識された全ての再生対象を連続的に再生する。この際、画面生成手段３５５は、図９に示す楽曲データの再生処理において説明したように、再生対象認識手段３５４Ａにて認識された楽曲個別情報５１０に基づいて、例えば図６に示す再生画面７００をタッチパネル３２０に表示させる。この後、再生制御手段３５４Ｂは、入力認識手段３５１にて停止要求が認識されると、再生を停止する。
【００９９】
（フィーリングダイジェストプレイ処理）
次に、楽曲再生システム１００の動作として、フィーリングダイジェストプレイ処理について説明する。楽曲再生システム１００の電源がＯＮの状態で利用者からの入力を待機する状態において、利用者からの入力操作によりフィーリングダイジェストプレイが要求され入力認識手段３５１がフィーリングダイジェストプレイ要求を認識する。入力認識手段３５１にてフィーリングダイジェストプレイ要求が認識されると、再生対象認識手段３５４Ａは、サビとなるパートのうち所定の曲調のパートを再生対象として認識する。そして、再生制御手段３５４Ｂは、再生対象認識手段３５４Ａで認識された全ての再生対象に対応する楽曲データのパートを連続的に再生する。この際、画面生成手段３５５は、図９に示す楽曲データの再生処理において説明したように、再生対象認識手段３５４Ａにて認識された楽曲個別情報５１０に基づいて、例えば図６に示す再生画面７００をタッチパネル３２０に表示させる。この後、再生制御手段３５４Ｂは、入力認識手段３５１にて停止要求が認識されると、再生を停止する。
【０１００】
（しりとり再生処理）
次に、楽曲再生システム１００の動作として、しりとり再生処理について図１０に基づいて説明する。図１０は、しりとり再生処理の動作を示すフローチャートである。
【０１０１】
楽曲再生システム１００の電源がＯＮの状態で利用者からの入力を待機する状態において、利用者からの入力操作によりしりとり再生が要求され入力認識手段３５１がしりとり再生要求を認識すると、再生対象認識手段３５４Ａは、再生対象を認識する（ステップＳ４０１）。すなわち、再生対象認識手段３５４Ａは、例えば、ランダムに、楽曲データ記憶手段３３０に記憶された複数の楽曲データのうち、いずれかの楽曲データを再生対象として認識し、この再生対象となる楽曲データに対応する楽曲個別情報５１０を認識する。そして、再生制御手段３５４Ｂは、再生対象認識手段３５４Ａにて認識された再生対象を再生し、音声出力装置２００から再生した楽曲データを出力させる（ステップＳ４０２）。この際、画面生成手段３５５は、再生対象認識手段３５４Ａにて認識された楽曲個別情報５１０に基づいて、例えば図６に示す再生画面７００をタッチパネル３２０に表示させる。
【０１０２】
そして、再生中において、再生対象認識手段３５４Ａは、楽曲個別情報５１０における曲調情報５１４Ｃに基づいて、現在再生している楽曲データの最終パートにおける曲調を認識する（ステップＳ４０３）。そして、再生対象認識手段３５４Ａは、楽曲の先端パートが同じ曲調の楽曲データを検索する（ステップＳ４０４）。すなわち、再生対象認識手段３５４Ａは、楽曲個別情報５１０における曲調情報５１４Ｃに基づいて、楽曲データ記憶手段３３０に記憶された複数の楽曲データのうち、楽曲の先端パートに現在再生している楽曲データの最終パートにおける曲調と同一の曲調を有した楽曲データを検索する。そして、再生対象認識手段３５４Ａは、次の再生対象を認識する、すなわち、検索した楽曲データのうちいずれかの楽曲データをランダムに再生対象として認識し、この再生対象となる楽曲データに対応する楽曲個別情報５１０を認識する。（ステップＳ４０５）。
【０１０３】
この後、入力認識手段３５１は、楽曲データの再生を停止する旨の停止要求がされたか否かを認識する（ステップＳ４０６）。そして、入力認識手段３５１により停止要求が認識された場合、再生制御手段３５４Ｂは、しりとり再生を停止させる。一方、ステップＳ４０６において、入力認識手段３５１により停止要求がされていないと認識されると、再生制御手段３５４Ｂは、ステップＳ４０２の処理を実施する、すなわち、再生対象認識手段３５４Ａにより認識された次の再生対象となる楽曲データを再生する。
【０１０４】
〔楽曲再生システムの作用効果〕
上述したように、上記実施の形態では、楽曲再生システム１００に、楽曲データ記憶手段３３０に記録された楽曲データの曲調を認識し、この曲調に基づいて楽曲データのパートを認識する特性認識手段３５２と、楽曲データの所定のパートにおける曲調に関する曲調ポイント情報５１４Ｂおよび曲調情報５１４Ｃをパートの位置を特定するパート特定情報５１４Ａに関連付けてパート情報５１４を生成する楽曲関連情報生成手段３５３と、を設けている。このため、多種多様な曲調を有した楽曲データを複数のパートに分けてパート毎に曲調を認識することができる。したがって、楽曲再生装置３００は、楽曲データの曲調を良好に認識することができるので、例えば利用者が聴きたい曲調を指定して再生された楽曲データの中に、利用者がイメージした曲調とは異なる部分が含まれることを防止することができる。
【０１０５】
そして、特性認識手段３５２は、例えば図４に示すような各曲調の曲調ポイントを認識すると、各曲調のうちいずれかの曲調の曲調ポイントが楽曲全体を通して大きく変化している変化位置を認識する。そして、各曲調のうちいずれかの曲調の変化位置間における区間をパートとして認識する。このため、特性認識手段３５２にて認識されたパートは曲調の大きく変化している変化位置に基づくものであるので、１つの楽曲データにおけるパートとパートとの差異を明確化することができる。したがって、楽曲データ記憶手段３３０に記憶された複数の楽曲データのうち所定の曲調のパートを検索する際、正確な検索が実施できる。また、特性認識手段３５２は、計時手段３５６にて計時された時間に基づいて曲調の変化位置を楽曲データの先端部からの再生経過時間で認識し、楽曲関連情報生成手段３５３は認識された変化位置に基づいてパート特定情報５１４Ａを生成している。このため、時間で楽曲データのパートを特定するという簡単な構成によるデータ処理が実現でき、データ処理の効率を向上できる。
【０１０６】
また、特性認識手段３５２は、楽曲データの少なくとも１つの曲調を認識すると、メモリ３４０に記憶された基準となる様々な曲調に関するデータを認識する。そして、認識した楽曲データの曲調と、基準となる曲調とを比較することにより楽曲データの曲調ポイントを認識する。また、楽曲関連情報生成手段３５３は、特性認識手段３５２にて認識された楽曲データの少なくとも１つの曲調についての曲調ポイントに関する曲調ポイント情報５１４Ｂを生成する。そして、パート特定情報５１４Ａと、曲調ポイント情報５１４Ｂと、を１つのデータ構造として関連付けて構成したパート情報５１４を生成する。このため、楽曲データの様々な曲調を曲調ポイントとして管理するので、曲調ポイントに基づいた様々な情報処理を実現でき、楽曲再生装置３００の用途を拡大することができる。さらに、各パートと各パートにおける曲調ポイントとを互いに関連付けて管理することにより情報処理の簡易化および効率化が図れる。
【０１０７】
そして、画面生成手段３５５は、楽曲データ特定情報５１１に関連付けられた複数の曲調ポイント情報５１４Ｂに基づいて、少なくとも１つのパートを有する楽曲データの全ての曲調ポイントを認識する。そして、楽曲データの全てのパートにおける曲調ポイントを曲調毎に加算し、１つの楽曲に含まれる複数の曲調の全体曲調ポイントをそれぞれ認識する。そして、認識した全体曲調ポイントを例えば図５に示すようなプレイリスト画面６００に盛り込んでタッチパネル３２０に表示させる。このため、１つの楽曲データにおいてどのような曲調が含まれているのかを認識できるのに留まらず、それぞれの曲調がどれだけ含まれているかを視覚で捉えることができる。したがって、所望の楽曲データを検索する際の検索の効率化が図れ、利用者の利便性を向上できる。
【０１０８】
また、楽曲関連情報生成手段３５３は、入力認識手段３５１にて所定のパートの曲調情報５１４Ｃについて設定変更する旨の曲調の設定要求が認識されると、設定要求された代表的な曲調を記載した曲調情報５１４Ｃを生成し、パート特定情報５１４Ａと、曲調情報５１４Ｃと、を１つのデータ構造として関連付けて構成したパート情報５１４を生成する。このため、例えば、利用者が所定の楽曲データの所定のパートを聴いている際、特性認識手段３５２にて自動的に認識された代表的な曲調と現在聴いているパートの曲調とが矛盾していると利用者が判断した場合、利用者が、現在聴いているパートの曲調に基づいて、現在聴いているパートの代表的な曲調を設定変更することができる。したがって、所定のパートの代表的な曲調をより利用者の感性に近づけることができ、さらに後に再生する楽曲データを曲調で検索する場合にも正確な検索が実現できる。
【０１０９】
そして、再生制御手段３５４Ｂは、入力認識手段３５１にて認識された所定の楽曲データまたは所定のパートを再生する旨の再生要求に基づき、パート情報５１４に基づいて所定の楽曲データまたは所定のパートを再生させる。このため、楽曲データを検索して再生させる場合に、例えば、特定の曲調、特定のキーワード、特定のジャンルなどで条件を絞り込んで検索して、再生するなど様々な再生が実現できる。したがって、利用者の気分に合致した好適な楽曲データの再生を実現できる。
【０１１０】
さらに、画面生成手段３５５は、入力認識手段３５１により所定の楽曲データの再生要求が認識されると、例えば図６に示す再生画面７００をタッチパネル３２０に表示させる。このため、例えば、所定の楽曲データを聴いている際、現在再生しているパートの曲調などを視覚で認識することができる。また、現在再生しているパートの曲調ポイントと対応する状態で表示することにより、現在再生しているパートの曲調に見合った様々な視覚効果が実現できる。したがって、利用者は、現在聴いている楽曲データを、視覚および聴覚のいずれからも楽しむことができる。
【０１１１】
そして、画面生成手段３５５は、再生制御手段３５４Ｂの制御により再生中の楽曲データのパートに関連付けられた曲調情報５１４Ｃを表示させる。また、再生画面７００に現在再生中のパートの代表的な曲調を所定の曲調に設定するための曲調設定領域７３１を表示させる。そして、タッチパネル３２０の表示面に表示された曲調設定領域７３１におけるいずれかの表示を利用者が触れることにより、入力認識手段３５１は再生中の所定のパートの曲調情報５１４Ｃを設定変更する旨の曲調の設定要求を認識する。そして、楽曲関連情報生成手段３５３は、入力認識手段３５１にて認識された曲調の設定入力信号に基づいて、再生中のパートにおける曲調を所定の曲調に変更した曲調情報５１４Ｃをパート特定情報５１４Ａに関連付けてパート情報５１４を生成する。このため、所定の楽曲データにおける所定のパートの再生中にそのパートの代表的な曲調を変更する設定をする場合、タッチパネル３２０の表示面に曲調設定領域７３１が表示されており、この曲調設定領域７３１におけるいずれかの曲調についての表示を利用者が触れることにより再生中のパートの代表的な曲調が変更される。したがって、利用者は所定のパートを聞きかつ再生画面７００を見ながら、所定のパートにおける代表的な曲調の設定をタッチパネル３２０の画面上で容易にできるので、利用者の利便性を向上できる。
【０１１２】
また、画面生成手段３５５は、再生制御手段３５４Ｂの制御により所定の楽曲データが再生されている際、再生画面７００において、所定の楽曲データの複数のパートに関連付けられた曲調情報５１４Ｃを楽曲データの再生時間順に並べた曲調領域７２２を表示させる。これと共に、現在再生位置領域７２５を楽曲データの再生時間と対応させて楽曲データの先端部から最後部へ向かう方向に移動する状態で表示する。このため、各パートの代表的な曲調を示す表示が再生時間順に並べて表示され、かつ現在再生位置領域７２５により現在再生中のパートが示されているので、複数のパートのうち現在再生中のパートの代表的な曲調を視覚で容易に捉えることができる。また、利用者が再生中のパートの代表的な曲調を変更する設定をする場合、現在再生位置領域７２５と同一画面上に表示された曲調設定領域７３１におけるいずれかの曲調を選択することにより、再生中のパートの代表的な曲調が変更される。したがって、利用者は、現在再生中のパートがどのパートであるかを確実に把握できるので、代表的な曲調を変更する際に設定の対象となるパートを間違うことなく設定できる。
【０１１３】
そして、楽曲データ記憶手段３３０は、複数の楽曲データを記憶する。また、楽曲関連情報生成手段３５３は、入力認識手段３５１にて認識されたキーワードの設定要求に基づいてキーワード情報５１４Ｄを生成する。そして、再生対象認識手段３５４Ａは、入力認識手段３５１にて認識された所定のキーワードに対応する楽曲データを検索する旨の要求に基づいて、所定のキーワードが設定されたパートを有する楽曲データを楽曲データ記憶手段３３０から検索する。さらに、再生制御手段３５４Ｂは、再生対象認識手段３５４Ａにて検索された楽曲データにおける所定のキーワードが設定されたパートを再生させる。このため、所定の楽曲データの所定のパートに、特性認識手段３５２にて自動認識された曲調以外に、利用者の主観的なイメージであるキーワードを設定することができる。そして、利用者が、楽曲データ記憶手段３３０に記憶された複数の楽曲データにおけるそれぞれのパートのうち、例えば「懐かしい」キーワードに関連付けられたパートを検索し、様々な楽曲データの利用者が懐かしいと思うパートのみを再生することができる。したがって、利用者の嗜好に合致した楽曲データの再生を実現できる。
【０１１４】
また、画面生成手段３５５は、現在再生中の所定のパートを示す第２再生楽曲表示領域７２０と共に、現在再生中の楽曲データのパートに所定のキーワードを関連付けて設定するためのキーワード設定領域７３２を表示させる。また、タッチパネル３２０の表示面に表示されたキーワード設定領域７３２におけるいずれかの表示を利用者が触れることにより、入力認識手段３５１は、再生中の所定のパートのキーワード情報５１４Ｄを設定する旨のキーワードの設定要求を認識する。そして、楽曲関連情報生成手段３５３は、入力認識手段３５１にて認識されたキーワードの設定入力信号に基づいて、再生中のパートに対応するパート特定情報５１４Ａに所定のキーワードに関するキーワード情報５１４Ｄを関連付けてパート情報５１４を生成する。このため、所定の楽曲データにおける所定のパートの再生中にそのパートのキーワードを設定する場合、タッチパネル３２０の表示面にキーワード設定領域７３２が表示されており、このキーワード設定領域７３２におけるいずれかのキーワードについての表示を利用者が触れることにより再生中のパートのキーワードが設定される。したがって、利用者は所定のパートを聞きかつ再生画面７００を見ながら、所定のパートにおけるキーワードの設定をタッチパネル３２０の画面上で容易にできるので、利用者の利便性を向上できる。
【０１１５】
そして、画面生成手段３５５は、所定の楽曲データの再生中に、再生画面７００に楽曲データの再生位置に関する現在再生位置領域７２５を表示させる。そして、この現在再生位置領域７２５の略矩形状の枠中には、曲調情報５１４Ｃに基づいて最大音量が表示され、計時手段３５６により計時された現在の再生時間が表示される。このため、利用者は、現在再生中のパートにおける最大音量がどのように設定されているかを利用者は予め視覚で把握することができる。そして、例えばスピーカのボリュームレベルと現在利用者が聴認しているボリュームレベルとを適宜調整することにより、利用者が再生中のパートにおける最大音量となる部分を視聴した際に、予想外の音量に驚かされるなどの問題を防止することができる。また、例えば、楽曲再生システム１００を車両などの移動体に設けた構成の場合、運転者が再生中のパートにおける最大音量となる部分を視聴した際に、予想外の音量に驚かされて運転に支障をきたすなどの問題を予め防止することができる。さらに、再生画面７００において現在再生している楽曲データがいずれのパートで現在の再生位置が楽曲データの先端部からの時間がどの辺りなのかを視覚で一度に捉えることができる。したがって、利用者が再生画面７００を見た際、現在の再生状況を容易に把握できるので、利便性が向上する。
【０１１６】
また、再生対象認識手段３５４Ａは、入力認識手段３５１にて曲調スキップ要求が認識されると、現在再生中のパートの前後いずれかのパートを再生対象として認識する。そして、再生制御手段３５４Ｂは、再生対象認識手段３５４Ａが現在再生中のパートの前後いずれかのパートを再生対象として認識すると、現在再生中のパートに変えて再生対象認識手段３５４Ａで認識された再生対象に対応するパートの再生を開始させる。このため、利用者は、現在視聴中の楽曲データのパートの曲調が気分に合わないと感じた場合などに、例えば再生画面７００に表示された曲調先送りボタン７４１または曲調前戻りボタン７４２を選択することにより、現在再生中のパートの前後のパートを再生することができる。したがって、楽曲データの曲調で再生をスキップする再生方法を実現できる。
【０１１７】
さらに、楽曲関連情報５００は、楽曲データ記憶手段３３０に記憶された複数の楽曲データに対応する楽曲個別情報５１０を備えている。再生対象認識手段３５４Ａは、入力認識手段３５１にてしりとり再生要求が認識されると、現在再生中の楽曲データにおける後端のパートに関連付けられた曲調情報５１４Ｃを認識する。そして、先端のパートに関連付けられた曲調情報５１４Ｃの代表的な特性が認識した後端のパートの代表的な特性と略同一の楽曲データに対応する楽曲個別情報５１０を楽曲関連情報５００からランダムに検索する。さらに、検索した楽曲データを現在再生中の楽曲データの再生が終了した直後に再生させる次の再生対象であると認識する。そして、再生制御手段３５４Ｂは、再生中の楽曲データの再生が終了すると、再生対象認識手段３５４Ａで認識された次の再生対象となる楽曲データの再生を開始させる。
このため、例えば、利用者は、しりとり再生を要求して所定の楽曲データを聴き、その楽曲データの後端の代表的な曲調が例えば「明るい」曲調であった場合、次に再生される楽曲データが明るい曲調から始まるので、何度も聴いたことのある楽曲データでも楽しく聴くことができる。また、しりとり再生は楽曲データの先端部および後端部における曲調でリレー方式に連続して再生されるので、変化に富んだ楽曲データの再生が実現できる。
【０１１８】
そして、楽曲関連情報５００は、楽曲データ記憶手段３３０に記憶された複数の楽曲データに対応する楽曲個別情報５１０を備えている。そして、再生対象認識手段３５４Ａは、入力認識手段３５１にてフィーリングプレイ要求が認識されると、楽曲関連情報５００に組み込まれた楽曲個別情報５１０の中から、特定の曲調を含む曲調情報５１４Ｃと関連付けられた楽曲個別情報５１０を全て検索する。さらに、検索した特定の曲調を含むパートの全てを再生対象として認識する。そして、再生制御手段３５４Ｂは、再生対象認識手段３５４Ａが所定の曲調のパートを再生対象として認識すると、再生対象認識手段３５４Ａで認識された全ての再生対象と対応する楽曲データのパートを連続的に再生する。
このため、利用者は、例えば「静かな」曲調でフィーリングプレイ要求した場合、楽曲データ記憶手段３３０に記憶された複数の楽曲データのうち静かなパートのみが連続的に再生されるので、利用者の気分に合致した再生が実現できる。したがって、利用者が聴きたい曲調を指定して再生された楽曲データの中に、利用者がイメージした曲調とは異なる部分が含まれることを防止することができる。
【０１１９】
また、特性認識手段３５２は、楽曲データの複数のパートのうちサビとなるパートを認識する。そして、楽曲関連情報生成手段３５３は、所定のパートがサビであるか否かを示すサビフラグ情報５１４Ｅを生成する。また、再生対象認識手段３５４Ａは、入力認識手段３５１にてフィーリングダイジェストプレイ要求が認識されると、特定の曲調の曲調情報５１４Ｃと関連付けられたサビとなるパートを含む楽曲データを楽曲データ記憶手段３３０から検索する。そして、検索したサビとなるパートのうち所定の曲調のパートの全てを再生対象として認識する。また、再生制御手段３５４Ｂは、再生対象認識手段３５４Ａにて再生対象が認識されると、再生対象認識手段３５４Ａで認識された全ての再生対象に対応する楽曲データのパートを連続的に再生する。
このため、利用者は、例えば「ノリが良い」曲調でフィーリングダイジェストプレイ要求をした場合、楽曲データ記憶手段３３０に記憶された複数の楽曲データのサビとなるパートのうちノリが良いパートのみが連続的に再生されるので、利用者の気分に合致した再生が実現できる。したがって、利用者が聴きたい曲調でかつ楽曲データの中で最も盛り上がるサビとなるパートが連続して再生されるので、楽曲データを存分に楽しむことができる。
【０１２０】
さらに、特性認識手段３５２は、コンテンツデータとしての楽曲データの曲調を認識し、認識した曲調に基づいて楽曲データにおける曲調が異なる区間をパートとして認識する。このため、画像データなどのデータ容量の大きなコンテンツデータの特性を認識するのに比較して、比較的データ容量の小さな楽曲データの曲調を認識するので、曲調を認識する処理に多くの時間を費やすことを防ぐことができる。
【０１２１】
そして、処理部３５０を例えばＣＰＵ（Central Processing Unit）などを用いてプログラムとして構成しているので、プログラムをインストールすることで、コンテンツデータの特性を良好に認識できる構成が容易に得られ、利用の拡大が容易に図れる。さらには、そのプログラムを記録媒体に記録し、処理部３５０、すなわちコンピュータに読み取らせる構成とすることで、コンテンツデータの特性を良好に認識できる構成が得られるとともに、プログラムを容易に取り扱いでき、利用の拡大が容易にできる。なお、本発明における演算手段としては、１つのコンピュータに限らず、複数のコンピュータをネットワーク状に組み合わせた構成、上述したようなＣＰＵやマイクロコンピュータなどの素子、あるいは複数の電子部品が搭載された回路基板などをも含む。
【０１２２】
また、楽曲関連情報５００は、楽曲データ記憶手段３３０に記憶された複数の楽曲データに対応する楽曲個別情報５１０を備えている。そして、再生対象認識手段３５４Ａは、入力認識手段３５１にて所定の特性のパートを有する楽曲データを再生する旨の再生要求が認識されると、楽曲関連情報５００から所定の特性のパートを有する楽曲データに対応する楽曲個別情報５１０を検索する。このため、利用者が、楽曲データ記憶手段３３０に記憶された複数の楽曲データにおけるそれぞれのパートのうち、例えば「明るい」曲調のパートを検索し、様々な楽曲データの明るい曲調のパートのみを再生することができる。したがって、利用者の気分に合致した楽曲データの再生を実現できる。
【０１２３】
そして、プレイリスト画面６００において、個別楽曲情報領域６３０は、特定したプレイリストに登録された楽曲データの数分だけ画面列方向に並列して設けられる。そして、個別楽曲情報領域６３０における明るい曲調ポイント領域６３２と、悲しい曲調ポイント領域６３３と、ノリが良い曲調ポイント領域６３４と、静かな曲調ポイント領域６３５とは、曲調ポイント項目領域６２０における明るい領域６２１と、悲しい領域６２２と、ノリが良い領域６２３と、静かな領域６２４とに、それぞれ対応する位置に設けられている。このため、プレイリスト画面６００において、それぞれの楽曲データの各曲調における全体曲調ポイントが比較容易な状態に表示されているので、利用者は一目でそれぞれの楽曲データにおける曲調の差異を把握することができる。
【０１２４】
さらに、再生画面７００におけるジャンル設定領域７３３には、複数種のジャンルが表示されており、タッチパネル３２０の表示面におけるいずれかの表示を利用者が触れることにより、入力認識手段３５１は、再生中の楽曲データのジャンル情報５１３を設定変更する旨のジャンルの設定要求を認識する。そして、このジャンルの設定要求に基づいて、楽曲関連情報生成手段３５３により所定の楽曲データのジャンル情報５１３が生成され、画面生成手段３５５によりジャンル領域７２４の表示が変更される。このため、例えば、特性認識手段３５２にて認識された楽曲データのジャンルが誤っている場合や、特性認識手段３５２にて認識された楽曲データのジャンルを利用者のイメージするジャンルに変更を設定する場合など、楽曲データのジャンルを利用者が任意に設定できるので利便性を向上できる。
【０１２５】
また、画面生成手段３５５は、再生制御手段３５４Ｂの制御により所定の楽曲データが再生されている際、再生画面７００において、再生中の所定の楽曲データの複数のパートの位置と対応する状態にキーワード領域７２３を表示させる。これと共に、現在再生位置領域７２５を楽曲データの再生時間と対応させて楽曲データの先端部から最後部へ向かう方向に移動する状態で表示する。このため、各パートを示す表示が再生時間順に並べて表示され、かつ現在再生位置領域７２５により現在再生中のパートが示されているので、複数のパートのうち現在再生中のパートを視覚で容易に捉えることができる。また、利用者が再生中のパートのキーワードを設定する場合、現在再生位置領域７２５と同一画面上に表示されたキーワード設定領域７３２におけるいずれかのキーワードを選択することにより、再生中のパートにキーワードが設定される。したがって、利用者は、現在再生中のパートがどのパートであるかを確実に把握できるので、キーワードを設定する際に設定の対象となるパートを間違うことなく設定できる。
【０１２６】
そして、現在再生位置領域７２５は、第２再生楽曲表示領域７２０の上側に設けられている。また、この現在再生位置領域７２５は、後述する計時手段３５６にて計時された時間情報に基づいて、楽曲データの再生時間と対応させて楽曲データの先端部から最後部へ向かう方向に移動する状態で表示される。さらに、現在再生位置領域７２５の略矩形状の枠中には、計時手段３５６により計時された現在の再生時間が表示される。このため、現在再生しているパートが楽曲全体のうちいずれのパートであるのかを容易に認識できる。また、現在再生位置と現在の再生時間とが略同一の箇所に表示されているので、現在再生位置と現在の再生時間とを一目で認識でき、確認時に視線を移動させる必要がない。
【０１２７】
さらに、例えば、楽曲再生システム１００を車両などの移動体に設けた構成の場合、運転中にしりとり再生を要求すれば運転者が手で操作する必要がないので、操作の際に気を取られるなどの問題を防止することができ、連続的なしりとり再生を楽しむことができる。また、例えば、運転中に所定の曲調のフィーリングプレイを要求すれば運転者が手で操作する必要がなく、様々な楽曲データにおける所定の曲調のパートを楽しむことができる。この際、例えば、「明るい」曲調のフィーリングプレイを要求すれば、運転者は気分が明るくなり良好な運転ができるなど、運転者を精神的な面で支援する効果を実現できる。また、例えば、運転中に所定の曲調のフィーリングダイジェストプレイを要求すれば運転者が手で操作する必要がなく、様々な楽曲データの所定の曲調のサビを楽しむことができる。
【０１２８】
〔実施の形態の変形〕
なお、本発明は上述した実施の形態に限定されるものではなく、本発明の目的を達成できる範囲で以下に示される変形をも含むものである。
【０１２９】
上述したように、本実施の形態では、本発明の情報処理装置としての楽曲再生装置を備えた楽曲再生システムであって、楽曲データの曲調を認識して楽曲データを再生出力する構成を備えたシステムを例示して説明した。なお、本実施の形態において、コンテンツデータとして例えば楽曲データについて説明したがこれに限らず、音声、効果音などの音声データを含むいずれのコンテンツデータ、映像コンテンツデータなどでもよい。例えば、コンテンツデータが映像コンテンツデータである場合、映像コンテンツデータの光量や色調などに基づいて映像コンテンツデータの特性を認識し、認識した特性に基づいて映像コンテンツデータのパートを認識する。このような構成の場合、例えば「明るい」パートのみを表示手段に再生表示させるなどコンテンツデータの特性に応じた様々な再生が可能となる。また、例えば、コンテンツデータが人の声のみからなる音声データである場合、人の声を音声解析して、「明るい声」「優しい声」「興奮している声」「男性の声」などを認識して、音声データのパートを認識する構成などとしてもよい。このような構成の場合、利用者が例えば優しい声だけを聞きたい場合、優しい声のパートのみを再生することができ、利用者の気持ちが和らぐなどの効果が得られる。
【０１３０】
本実施の形態では、特性認識手段３５２にて認識する曲調は、例えば和音要素やテンポ要素、音量要素などを例示したがこれに限らず、例えば、楽曲を演奏した楽器などの楽器要素など様々な音楽要素を認識する構成とすることができる。このような構成の場合、楽曲データのうち例えば「ピアノが多い」パートなどを検索して再生することができる。また、特性認識手段３５２にて認識する曲調は、「明るい」、「暗い」、「ノリが良い」、「静かな」についての４種の曲調を挙げたが、これに限らず、例えば「速い」、「遅い」、「神秘的である」、「音が大きい」、「音が小さい」、「重い」、「軽い」、「激しい」、「歌が多い」、など様々な曲調を認識することができ、認識する曲調が多いほど楽曲再生装置３００は多彩な情報処理が可能となる。
【０１３１】
特性認識手段３５２は、各曲調のうちいずれかの曲調の曲調ポイントが楽曲全体を通して大きく変化している変化位置を認識し、それぞれの曲調のうちいずれかの曲調の変化位置間における区間をパートとして認識するとしたが、これに限らない。すなわち、例えば、特性認識手段３５２は１つの曲調の変化位置を認識し、１つの曲調の変化位置間における区間をパートとして認識する構成などとしてもよい。このような構成の場合、認識する曲調が１つであるので、構成が簡略化され情報処理の迅速化が図れる。また、例えば、特性認識手段３５２は、所定の曲調の曲調ポイントが閾値を上回った部分を１つのパートとして認識する構成などとしてもよい。このような構成の場合、認識する曲調のうち閾値を上回った、すなわち顕著な特性の部分をパートとして認識しているので、例えば「特に明るい」パートなどを検索することができる。
【０１３２】
さらに、特性認識手段３５２にてパートが自動認識されて、楽曲関連情報生成手段３５３にて生成されたパート特定情報５１４Ａを、操作入力により変更可能な構成としてもよい。例えば再生画面７００における曲調領域７２２に示されたそれぞれのパートの端部を操作入力により移動するなどして、パート特定情報５１４Ａを変更する。また、曲調領域７２２に示されたパートとパートの境界を操作入力により消去したり、新たなパートを操作入力により付加するなどの構成としてもよい。このような構成の場合、例えば利用者が特性認識手段３５２にて認識されたパートが正確でないためパートの位置を変更したいと要求した場合に、パートの位置を正確に設定することができる。したがって、正確なパートの設定を実現できる。
【０１３３】
また、特性認識手段３５２は、複数の曲調を認識する構成としたがこれに限らない。すなわち、例えば、楽曲データから１つの曲調のみを認識し、曲調ポイントを数段階にランク分けすることにより、例えば、「明るいパート」、「やや明るいパート」、「すごく明るいパート」など１つの曲調からパートを検索する構成としてもよい。さらに、図４などで示したように特性認識手段３５２が認識したパートは複数であるとしたが、これに限らない。すなわち、楽曲データが単調な曲である場合は、１つの楽曲データに対して１つのパートしか認識されない。なお、この場合でも、特性認識手段３５２は、１つのパートに複数の曲調を認識することができる。
【０１３４】
特性認識手段３５２は、楽曲データ記憶手段３３０に記録された楽曲データの少なくとも１つの曲調についての曲調ポイントを認識し、例えば曲調ポイントを０から１００ポイントまでに設定するとしたがこれに限らない。すなわち、特性認識手段３５２は、曲調ポイントを０から１０ポイント、あるいは数段階に亘るレベルとして認識するなどの構成としてもよい。このような構成の場合、特性認識手段３５２が認識する曲調ポイントが少なくて済むので情報処理が簡略化される。
【０１３５】
本実施の形態において、処理部３５０から画像信号として送信される映像信号を表示させる手段としてタッチパネル３２０を採用したが、タッチパネル３２０でなくてもよい。このような構成の場合、例えば液晶表示パネルなどで処理部３５０から画像信号として送信される映像信号を表示させれば済み、楽曲再生装置３００全体において種々の構成を減らせるので、楽曲再生装置３００の製造に当たり製造コストを低減できる。
【０１３６】
画面生成手段３５５は、図５に示すようなプレイリスト画面６００を表示させる構成としたが、プレイリスト画面６００を表示させない構成としてもよい。このような構成の場合、処理部３５０の処理負担を軽減することができるので処理速度の向上を図ることができる。
【０１３７】
画面生成手段３５５は、図５に示すようなプレイリスト画面６００を表示する際、楽曲データ特定情報５１１に関連付けられた複数の曲調ポイント情報５１４Ｂに基づいて、それぞれ複数のパートを有する楽曲データの全ての曲調ポイントを認識する。そして、楽曲データの全てのパートにおける曲調ポイントを曲調毎に加算し、１つの楽曲に含まれる複数の曲調の全体曲調ポイントをそれぞれ認識する構成としたが、これに限らない。すなわち、例えば、特性認識手段３５２は、楽曲データの全てのパートにおける曲調ポイントを曲調毎に加算し、１つの楽曲データに含まれる複数の曲調の全体曲調ポイントをそれぞれ認識する。さらに、認識した複数の曲調の全体曲調ポイントをそれぞれ楽曲データの全再生時間で除算した絶対値としての平均曲調ポイントを認識して、この平均曲調ポイントをプレイリスト画面６００の個別楽曲情報領域６３０にそれぞれ表示する構成としてもよい。このような構成の場合、複数の楽曲データをプレイリスト画面６００に表示する場合、絶対値としての平均曲調ポイントを個別楽曲情報領域６３０にそれぞれ表示するので、それぞれの楽曲データの再生時間の違いによる全体曲調ポイントの著しい差を解消することができる。また、利用者は複数の楽曲データを比較することが容易にできる。
【０１３８】
画面生成手段３５５は、入力認識手段３５１により所定のプレイリストの表示要求が認識されると、例えば図５に示すようなプレイリスト画面６００をタッチパネル３２０に表示させるとしたが、プレイリスト画面はこれに限定されるものではない。すなわち、画面生成手段３５５は、全体曲調ポイントに基づいて、例えば、図１１に示すようなプレイリスト画面６００Ａを表示してもよい。図１１において、プレイリスト画面６００Ａは、図５に示すプレイリスト画面６００における曲調ポイント項目領域６２０と、個別楽曲情報領域６３０の構成が変更したものである。曲調ポイント項目領域６２０は、明るい領域６２１と、悲しい領域６２２と、ノリが良い領域６２３と、静かな領域６２４とに加えて、全体曲調領域６２５と、全体キーワード領域６２６と、を備えている。
【０１３９】
全体曲調領域６２５には「全体曲調」と表示され、全体キーワード領域６２６には「全体キーワード」と表示される。個別楽曲情報領域６３０は、楽曲タイトル領域６３１と、明るい曲調ポイント領域６３２と、悲しい曲調ポイント領域６３３と、ノリが良い曲調ポイント領域６３４と、静かな曲調ポイント領域６３５とに加えて、全体曲調領域６３６と、全体キーワード領域６３７と、を備えている。明るい曲調ポイント領域６３２には、明るい曲調の全体曲調ポイントに基づいて例えば数段階の明るい顔などが表示される。また、悲しい曲調ポイント領域６３３には、悲しい曲調の全体曲調ポイントに基づいて例えば数段階の悲しい顔などが表示される。ノリが良い曲調ポイント領域６３４には、ノリが良い曲調の全体曲調ポイントに基づいて例えば数段階の人が走る状態などが表示される。静かな曲調ポイント領域６３５には、静かな曲調の全体曲調ポイントに基づいて例えば数段階の人が静止している状態などが表示される。全体曲調領域６３６は、例えば特性認識手段３５２にて所定の楽曲データにおける複数の曲調の全体曲調ポイントのうち最大の曲調を楽曲データの代表的な曲調であると認識された全体曲調などが表示される。全体キーワード領域６３７は、例えば特性認識手段３５２にて所定の楽曲データの複数のパートに設定されたキーワードのうち、頻出度の高いキーワードをその楽曲データの代表的なキーワードであると認識された全体キーワードなどが表示される。
【０１４０】
このような構成の場合、楽曲データのそれぞれの曲調がアニメーション表示されているので、利用者は楽曲データがどのような曲調であるかを視覚で捉えることができ容易に理解できる。また、全体曲調や全体キーワードなども表示されているので楽曲データ全体がどのようなものであるかも理解できる。なお、それぞれの曲調の全体曲調ポイントに基づく表示は、図５に示す長尺矩形状による表示や、図１１に示すアニメーション表示に限らず、例えば星の数で表示したり、曲調毎に色分けして表示するなど様々な表示形態を採用することができる。また、全体曲調領域６３６および全体キーワード領域６３７は図５に示したプレイリスト画面６００にも表示する構成としてもよい。
【０１４１】
再生画面７００の曲調設定領域７３１におけるいずれかの曲調を利用者が選択することにより、再生中の所定のパートの曲調情報５１４Ｃを設定変更する旨の曲調の設定入力信号が生成される。そして、楽曲関連情報生成手段３５３は、入力認識手段３５１にて認識された曲調の設定入力信号に基づいて、再生中のパートにおける曲調を所定の曲調に変更した曲調情報５１４Ｃをパート特定情報５１４Ａに関連付けてパート情報５１４を生成する構成としたが、これに限らない。すなわち、所定の楽曲データの所定のパートにおける代表的な曲調を設定変更する場合、再生画面７００において実施するのみに限らず、楽曲データの再生を停止している状態で所定の設定メニューなどにより設定操作する構成などとしてもよい。また、画面生成手段３５５は、再生画面７００を表示させない構成としてもよい。このような構成の場合、楽曲データの再生における処理を軽減できるので処理速度を向上できる。
【０１４２】
また、タッチパネル３２０の表示面に表示された再生画面７００の曲調設定領域７３１と、キーワード設定領域７３２と、ジャンル設定領域７３３とにおけるいずれかの表示を触れることにより、各種情報の設定ができる構成としたがこれに限らない。すなわち、入力部３１０の各種操作ボタンやつまみなどにて入力操作し、例えば再生画面７００に表示されたカーソルを移動させて各種情報を設定する構成としても構わない。このような構成の場合においても、再生中の再生画面７００にて再生中のパートにおける曲調ポイント情報５１４Ｂや、曲調情報５１４Ｃを設定することができる。
【０１４３】
画面生成手段３５５は、例えば図６に示す再生画面７００をタッチパネル３２０に表示させるとしたが、再生中に表示する再生画面はこれに限らず、表示する情報およびその表示配置は適宜自由に設定できる。すなわち、例えば、第１再生楽曲表示領域７１０は、タイトル領域７１１と、曲調領域７１２と、再生時間領域７１３と、を備えているとしたがこれに限らず、タイトル領域７１１のみを表示させる構成や、さらに多くの情報を表示する構成としてもよい。また、例えば、第２再生楽曲表示領域７２０は、長尺が画面行方向に延びた長尺矩形状であるとしたがこれに限らず、少なくとも曲調領域７２２と、キーワード領域７２３と、を備え得る形状であればいずれの形状でも構わない。
【０１４４】
そして、現在再生位置領域７２５は、第２再生楽曲表示領域７２０の上側に設けられ、略矩形状の枠の一端側に矢印が形成された形状の領域であるとしたがこれに限らない。すなわち、現在再生位置領域７２５は、現在再生位置を示し得る形態であればいずれの形態でも採用できる。また、現在再生位置領域７２５の略矩形状の枠中に表示される情報も最大音量および現在の再生時間に限らず、現在再生中のパートの代表的な曲調や、キーワードなどの情報を表示する構成でもよい。さらに、現在再生中のパートの代表的な曲調や曲調ポイントに対応する状態に、曲調領域７２２のパート毎に仕切られた部分の色を変化させて表示し、これに合わせて現在再生位置領域７２５に表示する略矩形状の枠や表示される文字なども変化させて表示する構成などとしてもよい。このような構成の場合、現在再生中の曲調を反映させた状態で曲調領域７２２および現在再生位置領域７２５の色を変化させて表示するので、利用者は現在再生中の曲調がどのような曲調であるかを一見して把握することができる。
【０１４５】
さらに、設定領域７３０は、長尺が画面行方向に延びた略長尺矩形状の領域であるとしたがこれに限らず、少なくとも曲調設定領域７３１と、キーワード設定領域７３２と、を備え得る形状であればいずれの形状でも構わない。また、キーワード設定領域７３２には、利用者が独自で新たなキーワードを設定することを促す表示部を設けて、図６に示したキーワードの一例に限らず、その他のキーワードを設定可能な構成とすることができる。このような構成の場合、より利用者個人の嗜好を反映したキーワード設定ができる。
【０１４６】
また、画面生成手段３５５は、再生中に示す再生画面として例えば図１２に示すような再生画面７００Ａとする構成としてもよい。再生画面７００Ａは、第１再生楽曲表示領域７１０と、第２再生楽曲表示領域７２０Ａと、を備えている。第１再生楽曲表示領域７１０は、再生中の楽曲データのタイトルが表示されるタイトル領域７１１と、現在の再生時間が表示される再生時間領域７１３と、を備えている。第２再生楽曲表示領域７２０Ａは、所定の楽曲データにおける現在再生している部分の複数の曲調の曲調ポイントと長尺の長さを対応させた長尺矩形が再生時間に連動して表示される。このような構成の場合、複数の曲調における曲調ポイントに基づいて、再生時間と共に長尺矩形が連動して動く状態にリアルタイムに表示されるので、再生時間と共に変動する曲調の変化を視覚で捉えることができる。したがって、音楽とともに連動して変化する表示を楽しむことができる。
【０１４７】
画面生成手段３５５は、再生中に示す再生画面として例えば、図１３に示すような再生画面７００Ｂとする構成としてもよい。図１３に示す再生画面７００Ｂは、図１２における第２再生楽曲表示領域７２０Ａの構成を第２再生楽曲表示領域７２０Ｂに変更したものであるので、同一の構成については説明を省略する。第２再生楽曲表示領域７２０Ｂには、楽曲データの曲調毎に三角形や円形などの所定の形状の図形が複数表示される。これらの図形は、その数が所定の楽曲データにおける現在再生している部分の複数の曲調の曲調ポイントと対応して再生時間に連動して増減して表示される。このような構成の場合も、再生している楽曲データにおける現在聴いている部分の複数の曲調における曲調ポイントが、図形の数が増減することによりリアルタイムで画面表示されるので、利用者は現在の再生部分の曲調の変化を視覚で捉えることができる。また、音楽とともに連動して変化する表示を楽しむことができる。
【０１４８】
画面生成手段３５５は、再生中に示す再生画面として例えば、図１４に示すような再生画面７００Ｃとする構成としてもよい。図１４に示す再生画面７００Ｂは、図１２における第２再生楽曲表示領域７２０Ａの構成を第２再生楽曲表示領域７２０Ｃに変更したものであるので、同一の構成については説明を省略する。第２再生楽曲表示領域７２０Ｃには、現在再生中楽曲データの各曲調の曲調ポイントをそれぞれの曲調ポイントに対応した座標軸にプロットして、各プロットを直線で繋いだ形状が表示される。そしてこの形状は、再生時間に連動して変化する状態で表示される。このような構成の場合も、再生している楽曲データにおける現在聴いている部分の複数の曲調における曲調ポイントが、図形の形状の変化によりリアルタイムで画面表示されるので、利用者は現在の再生部分の曲調の変化を視覚で捉えることができる。また、音楽とともに連動して変化する表示を楽しむことができる。なお、図１４では４種の曲調ポイントに対応した軸が表示されているが、より多くの曲調の曲調ポイントに対応する軸を設けることにより、さらに多彩な表示が実現できる。
【０１４９】
画面生成手段３５５は、再生中に示す再生画面として例えば、図１５に示すような再生画面７００Ｄとする構成としてもよい。図１５に示す再生画面７００Ｄは、図１２における第２再生楽曲表示領域７２０Ａの構成を第２再生楽曲表示領域７２０Ｂに変更したものであるので、同一の構成については説明を省略する。第２再生楽曲表示領域７２０Ｄには、６種の曲調の曲調ポイントのそれぞれに対応した座標軸が表示されている。ここで６種の曲調としては、例えば和音成分から得られる「明るい」曲調および「暗い」曲調と、テンポ成分から得られる「速い」曲調および「ゆっくり」な曲調と、音量成分から得られる「激しい」曲調および「静か」な曲調などが挙げられる。これらの曲調は各成分で相反する関係にある。そして、これらの座標軸からなる３次元の座標空間には、再生している楽曲データの再生時間に対応した曲調ポイントの変化を示す軌跡が表示され、現在の再生位置がプロット表示されている。このような構成の場合、現在の再生位置が３次元の座標空間に配置された軌跡上を移動する状態で示され楽曲全体を通して曲調がどのように変化となるかが立体的に表示されるので、楽曲の再生に伴った多彩な表現が実現できる。また、現在再生位置を示すプロットを座標空間に配置された軌跡上で移動させ、移動された後のプロットの位置から楽曲データを再生する構成とすれば、楽曲データのうち所望の曲調の部分から再生できる。したがって、利用者は現在の再生部分の曲調の変化を視覚で捉えることができ、音楽とともに連動して変化する表示を楽しむことができる。
【０１５０】
なお、図１２に示した再生画面７００Ａと、図１３に示した再生画面７００Ｂと、図１４に示した再生画面７００Ｃと、図１５に示した再生画面７００Ｄと、に図６に示した再生画面７００における設定領域７３０を設ける構成としてもよい。このような構成の場合でも、現在再生中のパートの代表的な曲調やキーワードなどを設定することができる。
【０１５１】
再生対象認識手段３５４Ａは、入力認識手段３５１にて曲調スキップ要求が認識されると、現在再生中のパートの前後いずれかのパートを再生対象として認識するとしたが、これに限らない。すなわち、例えば、再生対象認識手段３５４Ａは、入力認識手段３５１にて曲調スキップ要求は、現在再生中のパートに変えて楽曲データの先端のパートを再生させる旨の要求や、サビとなるパートを再生させる旨の要求などをさらに加える構成としてもよい。このような構成の場合、現在再生中のパートに変えて楽曲データの先端パートやサビとなるパートを再生することができるので、利用者の利便性を向上できる。
【０１５２】
再生対象認識手段３５４Ａは、入力認識手段３５１にてしりとり再生要求が認識されると、現在再生中の楽曲データにおける後端のパートに関連付けられた曲調情報５１４Ｃを認識する。そして、先端のパートに関連付けられた曲調情報５１４Ｃの代表的な特性が認識した後端のパートの代表的な特性と略同一の楽曲データに対応する楽曲個別情報５１０を楽曲関連情報５００からランダムに検索する構成としたがこれに限らない。すなわち、例えば、再生対象認識手段３５４Ａは、曲調ポイント情報５１４Ｂに基づいて再生中の楽曲データにおけるパートの最後部の曲調ポイントを認識する。そして、この曲調ポイントと略同一の曲調ポイントをパートの先端部に有したパートを楽曲関連情報５００から検索し、次の再生対象として認識する。また、再生制御手段３５４Ｂは、現在再生中のパートの再生が終了すると、再生対象認識手段３５４Ａにて認識された次の再生対象となるパートを再生する構成などとしてもよい。このような構成の場合、所定の楽曲データの所定のパートにおける最後部の曲調ポイントと、次に再生される楽曲データの所定のパートにおける先端部の曲調ポイントとが略同一となるので、所定の曲調の余韻を引き継いだまま異なる楽曲データの所定のパートが再生される。したがって、楽曲再生装置３００は、多彩な再生が実現でき、利用者は様々な楽曲データを楽しんで聴くことができる。
【０１５３】
また、しりとり再生は、現在再生中の楽曲データにおける後端のパートにおける代表的な曲調と、次に再生する楽曲データにおける先端のパートにおける代表的な曲調とが、略同一であるとしたが、これに限らない。再生対象認識手段３５４Ａは、次に再生する楽曲データを認識する際、現在再生中の楽曲データにおける後端のパートにおける代表的な曲調と異なる代表的な曲調のパートを楽曲データの先端のパートに有する楽曲データを次の再生対象として認識する構成としてもよい。このような構成の場合、現在聴いている楽曲データの後端における曲調と次に聴く楽曲データの先端における曲調が異なるので、利用者の気分転換を図ることができる。
【０１５４】
再生対象認識手段３５４Ａは、入力認識手段３５１にてフィーリングプレイ要求が認識されると、楽曲関連情報５００に組み込まれた楽曲個別情報５１０の中から、特定の曲調を含む曲調情報５１４Ｃと関連付けられた楽曲個別情報５１０を検索するとしたがこれに限らない。すなわち、例えば、フィーリングプレイ要求はキーワードによるフィーリングプレイ要求であってもよい。このような構成の場合、利用者は所望のキーワードによるフィーリングプレイを楽しむことができる。また、パート情報５１４に所定のパートはフィーリングプレイの対象としない旨のフラグ情報を設け、再生対象認識手段３５４Ａは、このフラグ情報に基づいて適宜フィーリングプレイの対象を検索する構成としてもよい。このような構成の場合、利用者が好まないパートまでフィーリングプレイされることを防止することができる。さらに、再生対象認識手段３５４Ａは、楽曲関連情報５００に組み込まれた楽曲個別情報５１０の中からフィーリングプレイの対象を例えば１０パートまでしか検索しないなどの構成でもよい。このような構成の場合、検索の対象が少なくて済むので高速な情報処理が実現できる。
【０１５５】
再生対象認識手段３５４Ａは、入力認識手段３５１にてフィーリングダイジェストプレイ要求が認識されると、特定の曲調の曲調情報５１４Ｃと関連付けられたサビとなるパートを含む楽曲データを楽曲データ記憶手段３３０から検索するとしたが、これに限らない。すなわち、例えば、フィーリングダイジェストプレイ要求はキーワードによるフィーリングダイジェストプレイ要求であってもよい。このような構成の場合、利用者は所望のキーワードによるフィーリングダイジェストプレイを楽しむことができる。また、パート情報５１４に所定のパートはフィーリングダイジェストプレイの対象としない旨のフラグ情報を設け、再生対象認識手段３５４Ａは、このフラグ情報に基づいて適宜フィーリングダイジェストプレイの対象を検索する構成としてもよい。このような構成の場合、利用者が好まないパートまでフィーリングダイジェストプレイされることを防止することができる。さらに、再生対象認識手段３５４Ａは、楽曲関連情報５００に組み込まれた楽曲個別情報５１０の中からフィーリングダイジェストプレイの対象を例えば１０パートまでしか検索しないなどの構成でもよい。このような構成の場合、検索の対象が少なくて済むので高速な情報処理が実現できる。
【０１５６】
また、本実施の形態において、処理部３５０は、しりとり再生要求に基づく再生と、フィーリングプレイ要求に基づく再生と、フィーリングダイジェストプレイ要求に基づく再生と、のいずれもが可能な構成としたが、これに限らない。すなわち、処理部３５０は、しりとり再生要求に基づく再生と、フィーリングプレイ要求に基づく再生と、フィーリングダイジェストプレイ要求に基づく再生とのうちいずれか１つの再生が可能な構成や、あるいは、いずれの再生をも実施しない構成とすることができる。このような構成の場合、処理部３５０全体としての構成を単純化することができ、また、処理部３５０の処理負担を軽減できる。そして、本実施の形態に示すいずれの楽曲データの再生処理、および、いずれの表示処理も、適宜自由な組み合わせで構成することができる。
【０１５７】
その他、本発明の実施の際の具体的な構造および手順は、本発明の目的を達成できる範囲で他の構造などに適宜変更できる。
【０１５８】
〔実施の形態の作用効果〕
上述したように、上記実施の形態では、楽曲再生システム１００に、楽曲データ記憶手段３３０に記録された楽曲データの曲調を認識し、この曲調に基づいて楽曲データのパートを認識する特性認識手段３５２と、楽曲データのパートにおける曲調に関する曲調ポイント情報５１４Ｂおよび曲調情報５１４Ｃをパートの位置を特定するパート特定情報５１４Ａに関連付けてパート情報５１４を生成する楽曲関連情報生成手段３５３と、を設けている。このため、多種多様な曲調を有した楽曲データを複数のパートに分けてパート毎に曲調を認識することができる。したがって、楽曲再生装置３００は、楽曲データの曲調を良好に認識することができるので、例えば利用者が聴きたい曲調を指定して再生された楽曲データの中に、利用者がイメージした曲調とは異なる部分が含まれることを防止することができる。また、特性認識手段３５２は、変化位置を計時手段３５６にて計時された楽曲データの先端部からの再生時間として認識しているので、簡単な構成で楽曲データのパートを特定するデータ処理ができる。したがって、データ処理の効率を向上できる。
【図面の簡単な説明】
【０１５９】
【図１】本発明の一実施の形態に係る楽曲再生システムの概略構成を示すブロック図である。
【図２】本実施の形態におけるプレイリストの概略構成を示す模式図である。
【図３】本実施の形態における楽曲再生装置の処理部の内部構成を示すブロック図である。
【図４】本実施の形態における楽曲の曲調の一例を示す図である。
【図５】本実施の形態におけるプレイリスト画面の一例を示す図である。
【図６】本実施の形態における再生画面の一例を示す図である。
【図７】本実施の形態における楽曲個別情報生成処理の動作を示すフローチャートである。
【図８】本実施の形態におけるプレイリスト表示処理の動作を示すフローチャートである。
【図９】本実施の形態における楽曲データの再生処理の動作を示すフローチャートである。
【図１０】本実施の形態におけるしりとり再生処理の動作を示すフローチャートである。
【図１１】プレイリスト画面の変形例を示す図である。
【図１２】再生画面の変形例を示す図である。
【図１３】再生画面の変形例を示す図である。
【図１４】再生画面の変形例を示す図である。
【図１５】再生画面の変形例を示す図である。
【符号の説明】
【０１６０】
３００ 情報処理装置を有した楽曲再生装置
３２０ 出力手段および表示手段としてのタッチパネル
３３０ コンテンツデータ記憶手段としての楽曲データ記憶手段
３５０ 情報処理装置を有した、演算手段としての処理部
３５２ データ取得手段、特性認識手段、および、区間認識手段として機能する特性認識手段
３５３ 区間特性情報生成手段、および、区間キーワード情報生成手段として機能する楽曲関連情報生成手段
３５４Ａ  キーワードコンテンツ検索手段、異特性区間認識手段、後端特性認識手段、コンテンツ端部検索手段、および、特定コンテンツ検索手段として機能する再生対象認識手段
３５４Ｂ  再生制御手段
３５５ 全体特性度合認識手段、全体特性出力制御手段、および、区間特性表示制御手段として機能する画面生成手段
５１４ 区間特性情報としてのパート情報
５１４Ａ      区間特定情報としてのパート特定情報
５１４Ｂ      特性情報、特性度合情報、および、全体特性度合情報としての曲調ポイント情報
５１４Ｃ      特性情報としての曲調情報
５１４Ｄ      キーワード情報
５１４Ｅ      特徴区間情報としてのサビフラグ情報
【図１】
2006221715.tif 000003
【図２】
2006221715.tif 000004
【図３】
2006221715.tif 000005
【図４】
2006221715.tif 000006
【図５】
2006221715.tif 000007
【図６】
2006221715.tif 000008
【図７】
2006221715.tif 000009
【図８】
2006221715.tif 000010
【図９】
2006221715.tif 000011
【図１０】
2006221715.tif 000012
【図１１】
2006221715.tif 000013
【図１２】
2006221715.tif 000014
【図１３】
2006221715.tif 000015
【図１４】
2006221715.tif 000016
【図１５】
2006221715.tif 000017